(57)【要約】  眼内排水デバイス、眼内埋め込み処置、及び眼内埋め込み処置のためのインサータ・デバイスが開示される。開示される眼内排水デバイス（１００）は、遠位端を有するチューブ（１０６）と、チューブの近位側に配設される本体（１０２）とを含む。入口ポートは、チューブの遠位端に配設され、目の前眼房からの流入流体を受け入れるように構成される。入口流体経路は、入口ポートに結合され、少なくとも部分的にチューブを通って延在する。複数の出口流体経路は、少なくとも部分的に本体を通って延在し、入口流体経路から分岐する。複数の出口ポートは、本体に配設され、複数の出口流体経路に結合される。開示される眼科埋め込み処置のためのインサータ・デバイス（２５０）は、ハンドル（２５４）と、針（２５３）と、プランジャとを含む。針は、ハンドルの遠位端に配設され、眼内排水デバイスを保持するように構成される。プランジャは、針に結合され、ハンドル内に配設される。プランジャは、ハンドル内の真空チャンバの遠位側に配設され、真空チャンバによって適用される近位方向力に基づいて、針を後退させるように構成される。
2021536286.tif 000002
【特許請求の範囲】
【請求項１】
遠位端を有するチューブと、
前記チューブの近位側に配設された本体と、
前記チューブの前記遠位端に配設され、目の前眼房からの流入流体を受け入れるように構成された、入口ポートと、
前記入口ポートに結合され、少なくとも部分的に前記チューブを通って延在する入口流体経路と、
少なくとも部分的に前記本体を通って延在し、前記入口流体経路から分岐する、複数の出口流体経路と、
前記本体に配設され、前記複数の出口流体経路に結合された、複数の出口ポートと、を備える、眼内排水デバイス。
【請求項２】
前記本体が前記チューブに対して拡張される、請求項１に記載の眼内排水デバイス。
【請求項３】
前記本体の外表面が、前記入口流体経路に実質的に平行な方向で長手方向に延在する複数の微細溝を含み、前記チューブの外表面が、前記入口流体経路に実質的に垂直な方向で円周方向に延在する複数の微細溝を含む、請求項１に記載の眼内排水デバイス。
【請求項４】
前記チューブが、前記チューブを前記目の埋め込み部位で保定するように構成された保定機構を備える、請求項１に記載の眼内排水デバイス。
【請求項５】
前記保定機構が、前記本体に向かって角度を付けた１つ又は複数の返しを備える、請求項４に記載の眼内排水デバイス。
【請求項６】
前記保定機構が複数の隆起を含む、請求項４に記載の眼内排水デバイス。
【請求項７】
前記保定機構がオリフィス取付部を含む、請求項４に記載の眼内排水デバイス。
【請求項８】
前記チューブが、前記本体と前記チューブの前記遠位端との間に配設されたネック領域を備え、前記ネック領域が、前記本体及び前記チューブの前記遠位端よりも狭い、請求項１に記載の眼内排水デバイス。
【請求項９】
前記排水デバイスが遠位区画と近位区画とを備え、
前記入口流体経路が、前記遠位区画を通って延在する入口管腔であり、
前記複数の出口流体経路が、前記近位区画を通って延在する複数の出口管腔であり、
前記遠位区画の近位端が、前記入口管腔に結合された第１のポートを備え、
前記近位区画の遠位端が、前記複数の出口管腔に結合された複数の第２のポートを備え、
前記近位区画の前記遠位端が、前記遠位区画の前記近位端と接合され、
（ｉ）前記複数の第２のポートが前記近位区画の前記遠位端において窪み、並びに／或いは（ｉｉ）前記第１のポートが前記遠位区画の前記近位端において窪んで、前記第１のポートと前記複数の第２のポートとの間に分配チャンバを形成する、請求項１に記載の眼内排水デバイス。
【請求項１０】
前記チューブ及び前記本体が可撓性の生体適合性材料で作られる、請求項１に記載の眼内排水デバイス。
【請求項１１】
前記チューブ及び前記本体が、シリコーン、親水性アクリル、又は疎水性アクリルのうち少なくとも１つで作られる、請求項１に記載の眼内排水デバイス。
【請求項１２】
前記入口経路が、前記チューブの内部を通って延在する入口管腔であり、前記複数の出口経路が、前記本体の内部を通って延在する複数の出口管腔である、請求項１に記載の眼内排水デバイス。
【請求項１３】
前記本体が複数の接続された多角形を備え、前記複数の出口経路が、前記接続された多角形の間の介在空間である、請求項１に記載の眼内排水デバイス。
【請求項１４】
目に埋め込みされたとき、前記出口ポートの１つ又は複数が、前記目のテノン嚢下空間に流体が流れ込むことができるように構成され、前記出口ポートの他の１つ又は複数が、前記目の結膜下空間に流体が流れ込むことができるように構成された、請求項１に記載の眼内排水デバイス。
【請求項１５】
前記本体の外表面が、生分解性材料が前記複数の出口ポートを閉塞するようにして、前記生分解性材料でコーティングされる、請求項１に記載の眼内排水デバイス。
【請求項１６】
第１の延在部材と、前記第１の延在部材から分岐する複数の第２の延在部材とを有する、可溶性コアを形成するステップと、
前記可溶性コアの周りに部品を成型するステップと、
前記可溶性コアを溶媒で溶解して、前記第１の延在部材及び前記複数の第２の延在部材を、前記成型部品を通って延在する入口管腔及び複数の出口管腔に置き換える、溶解するステップと、を含む、眼内排水デバイスを作成する方法。
【請求項１７】
前記第１の延在部材に対して４５°から９０°の角度で、前記複数の第２の延在部材を形成するステップを更に含む、請求項１６に記載の方法。
【請求項１８】
前記溶媒が水であり、前記成型部品が水に対して不溶性の材料から作られる、請求項１６に記載の方法。
【請求項１９】
管腔と、目の前眼房に挿入されるように構成された遠位端と、前記前眼房から流体を放出するように構成された近位端と、を有するチューブと、
前記チューブの外部から径方向外側に突出する第１の保定部材であって、前記第１の保定部材の遠位側が傾斜面を有し、前記第１の保定部材の近位側が停止面を有する、第１の保定部材と、を備える、眼内排水デバイス。
【請求項２０】
前記傾斜面が、前記チューブの外表面と鈍角を形成し、前記停止面が、前記チューブの外表面に対して９０°以下の角度を形成する、請求項１９に記載の眼内排水デバイス。
【請求項２１】
前記第１の保定部材が、第１のフィンと、前記第１のフィンに対して前記チューブの反対側に配設された第２のフィンとを備える、請求項１９に記載の眼内排水デバイス。
【請求項２２】
前記第１の保定部材の近位側に配設された第２の保定部材であって、複数の円周方向溝を含む、第２の保定部材を更に備える、請求項１９に記載の眼内排水デバイス。
【請求項２３】
前記目に埋め込みされたとき、前記チューブの前記遠位端及び前記第１の保定部材が、前記目の前記前眼房内に配設されるように構成された、請求項１９に記載の眼内排水デバイス。
【請求項２４】
前記目に埋め込みされたとき、前記チューブの前記遠位端及び前記第１の保定部材が、前記目の前記前眼房内に配設され、前記第２の保定部材が、前記前眼房の外側に配設されるように構成された、請求項２２に記載の眼内排水デバイス。
【請求項２５】
埋め込み処置の間、前記チューブがインサータ・デバイスの針に収容されるように構成され、前記停止面が前記針の遠位側に当接するように構成された、請求項１９に記載の眼内排水デバイス。
【請求項２６】
目の結膜における切開を通してインサータ・デバイスの針を挿入するステップであって、前記針が眼内排水デバイスを中に保持する、ステップと、
前記針を挿入した後、強膜に穿刺経路を形成しながら、前記目の前記強膜を通して前記針を遠位方向に前進させるステップと、
前記強膜を通して前記針を遠位方向に前進させた後、前記針の遠位先端を前記目の前眼房内へと遠位方向に前進させるステップと、
前記針の遠位先端を前記前眼房内へと遠位方向に前進させた後、前記眼内排水デバイスの第１の部分を前記目の前記前眼房に残したまま、前記針を近位方向に後退させるステップと、
前記眼内排水デバイスの前記第１の部分を前記目の前記前眼房に残したまま、前記針を近位方向に後退させた後、前記眼内排水デバイスの第２の部分を前記穿刺経路に残したまま、前記針を近位方向に後退させるステップと、を含む、眼内埋め込み方法。
【請求項２７】
前記針を用いて前記切開を形成するステップを更に含む、請求項２６に記載の眼内埋め込み方法。
【請求項２８】
前記眼内排水デバイスの前記第２の部分を前記穿刺経路に残したまま、前記針を近位方向に後退させた後、前記排水デバイスの第３の部分を前記結膜と前記強膜との間の空間に残したまま、前記針を近位方向に後退させるステップであって、前記第１の部分が入口ポートを含み、前記第３の部分が出口ポートを含む、ステップを更に含む、請求項２６に記載の眼内埋め込み方法。
【請求項２９】
前記針を挿入する前に、刃を用いて前記切開を形成するステップと、
前記切開を形成した後、前記切開よりも前記目の縁から離れた空間において、前記結膜と前記強膜との間にポケットを形成するステップと、
前記眼内排水デバイスの第２の部分を前記穿刺経路に残したまま、前記針を近位方向に後退させた後、前記眼内排水デバイスの第３の部分を前記ポケットに嵌合させるステップと、を更に含む、請求項２６に記載の眼内埋め込み方法。
【請求項３０】
前記インサータ・デバイスのアクチュエータを作動させることによって、前記針を近位方向に後退させる、請求項２６に記載の眼内埋め込み方法。
【請求項３１】
前記アクチュエータを作動させることによって、前記インサータ・デバイス内に収容されたプランジャを介して前記針に真空力を適用させる、請求項３０に記載の眼内埋め込み方法。
【請求項３２】
前記アクチュエータを作動させる前に、前記インサータ・デバイス内の真空チャンバをチャージするように前記インサータ・デバイスの近位部分を引き出すステップを更に含む、請求項３１に記載の眼内埋め込み方法。
【請求項３３】
前記インサータ・デバイスのボタンを押すことによって、前記眼内排水デバイスを前記針から解放するステップであって、前記ボタンを近位方向に摺動させることによって前記針を近位方向に後退させる、ステップを更に含む、請求項２６に記載の眼内埋め込み方法。
【請求項３４】
前記ボタンを遠位方向に摺動させることによって、前記針を遠位方向に前進させる、請求項３３に記載の眼内埋め込み方法。
【請求項３５】
前記インサータ・デバイスの第１のアームを操作して、前記眼内排水デバイスの前記第１の部分を前記目の前記前眼房に残すステップと、
前記第１のアームを操作した後、前記インサータ・デバイスを枢動させるステップと、
前記インサータ・デバイスを枢動させた後、前記インサータ・デバイスの第２のアームを操作して、前記眼内排水デバイスの第３の部分を前記結膜と前記強膜との間の空間に残すステップと、を更に含む、請求項２６に記載の眼内埋め込み方法。
【請求項３６】
ハンドルと、
前記ハンドルの遠位端に配設され、眼内排水デバイスを保持するように構成された針と、
前記針に結合され、前記ハンドル内に配設される第１のプランジャであって、前記ハンドル内の第１の真空チャンバの遠位側に配設され、前記第１の真空チャンバによって適用される近位方向力に基づいて、前記針を後退させるように構成された、第１のプランジャと、を備える、眼科埋め込み処置のためのインサータ・デバイス。
【請求項３７】
前記ハンドルに配設され、前記第１のプランジャに結合されるトリガ・ボタンであって、作動させると前記第１のプランジャを解放して、前記第１の真空チャンバによって適用された前記近位方向力が、前記第１のプランジャを後退させることによって前記針を後退させることができるように構成された、トリガ・ボタンを更に備える、請求項３６に記載のインサータ・デバイス。
【請求項３８】
前記ハンドルの近位端に配設され、前記第１の真空チャンバ内に真空を作り出すように前記ハンドルに対して後退させることができる、チャージ区画を更に備える、請求項３６に記載のインサータ・デバイス。
【請求項３９】
前記チャージ区画に配設される指ループを更に備える、請求項３８に記載のインサータ・デバイス。
【請求項４０】
前記第１のプランジャの近位側に配設されるチャネルと、
前記チャネル内に配設される第２のプランジャと、
前記第２のプランジャの近位側に配設される第２の真空チャンバと、を更に備える、請求項３６に記載のインサータ・デバイス。
【請求項４１】
前記ハンドルの近位端に配設され、前記第２の真空チャンバを拡張させることによって、前記第２の真空チャンバ内に真空を作り出すように、前記ハンドルに対して後退させることができる、チャージ区画を更に備え、前記第２の真空チャンバ内の前記真空が、前記第２のプランジャに近位方向力を適用して、前記チャネル内で前記第２のプランジャを近位方向に並進させるように構成され、前記チャネル内における前記第２のプランジャの近位方向の前記並進が、前記第１の真空チャンバ内に真空を作り出すように構成された、請求項４０に記載のインサータ・デバイス。
【請求項４２】
前記第１の真空チャンバと前記第２の真空チャンバとの間に配設される弁であって、前記チャージ区画が前記ハンドルに対して遠位方向に前進可能であり、前記弁によって、前記チャージ区画の遠位方向前進中に圧力を解放することができる、弁を更に備える、請求項４１に記載のインサータ・デバイス。
【請求項４３】
前記トリガ・ボタンに結合された安全装置であって、前記チャージ区画の前記遠位方向の前進が、前記安全装置を解放して前記トリガ・ボタンを押すことができるように構成された、安全装置を更に備える、請求項４２に記載のインサータ・デバイス。
【請求項４４】
ハンドルと、
前記ハンドルの遠位端に配設され、眼内排水デバイスを保持するように構成された針と、
前記ハンドルに配設される摺動可能及び押圧可能なボタンであって、前記ボタンの摺動が、前記針を前記ハンドルに対して並進させるように構成され、前記ボタンの押下げが、前記眼内排水デバイスを前記針から解放するように構成された、ボタンと、を備える、眼科埋め込み処置のためのインサータ・デバイス。
【請求項４５】
前記ボタンの近位方向の摺動が、前記針を前記ハンドルに対して近位方向に後退させるように構成された、請求項４４に記載のインサータ・デバイス。
【請求項４６】
前記ボタンの遠位方向の摺動が、前記針を前記ハンドルに対して遠位方向に展開させるように構成された、請求項４４に記載のインサータ・デバイス。
【請求項４７】
ハンドルと、
前記ハンドルの遠位端に配設され、眼内排水デバイスを保持するように構成された針と、
前記眼内排水デバイスの遠位部分を係合するように構成された第１のアームと、
前記眼内排水デバイスの近位部分を係合するように構成された第２のアームと、を備える、眼科埋め込み処置のためのインサータ・デバイス。
【請求項４８】
前記ハンドルに配設され、前記第１のアーム及び前記第２のアームを独立して操作するように構成された、１つ又は複数のアクチュエータを更に備える、請求項４７に記載のインサータ・デバイス。
【請求項４９】
前記針が、前記針の遠位端から近位方向に延在する１つ又は複数のスロットを備え、前記１つ又は複数のスロットが、前記眼内排水デバイスの１つ又は複数のフィンを受け入れるように構成された、請求項３６から４８までのいずれか一項に記載のインサータ・デバイス。
【請求項５０】
前記針の遠位端がソリッドノーズを備え、前記眼内排水デバイスのための解放ポートが、前記針の側面で前記ソリッドノーズの近位側に配設される、請求項３６から４８までのいずれか一項に記載のインサータ・デバイス。
【請求項５１】
前記針が、前記針の挿入深さを示す軸方向マーキング・パターンを備える、請求項３６から４８までのいずれか一項に記載のインサータ・デバイス。
【発明の詳細な説明】
【背景技術】
【０００１】
眼房水は、一般的に、従来の流出経路（線維柱帯網及びシュレム管）並びに従来以外の流出経路（ブドウ膜強膜）を介して、目の前眼房から排水する。しかしながら、状況によっては、眼房水の排水が低減することで眼内圧（ＩＯＰ）が増加する場合があり、それによって視神経にダメージを与える恐れがある。したがって、特に緑内障患者にとって、前眼房からの眼房水の排水を増加させることができるのが望ましい。
【発明の概要】
【課題を解決するための手段】
【０００２】
主題の技術の更なる理解を提供するために含まれ、本明細書に組み込まれると共に本明細書の一部を構成する添付図面は、主題の技術の態様を例示し、説明と併せて主題の技術の原理を説明するのに役立つ。
【図面の簡単な説明】
【０００３】
【図１】本開示のいくつかの実施例による眼内埋め込みシステムを示す概略図である。
【図２】本開示のいくつかの実施例による、患者の目の中にあるイン・サイチュの眼内排水デバイスを示す断面図である。
【図３】本開示のいくつかの実施例による眼内排水デバイスを示す三次元図である。
【図４】本開示のいくつかの実施例による眼内排水デバイスを示す上面図である。
【図５】本開示のいくつかの実施例による眼内排水デバイスを示す上面図である。
【図６】本開示のいくつかの実施例による眼内排水デバイスを示す三次元図である。
【図７】本開示のいくつかの実施例による眼内排水デバイスを示す上面図である。
【図８Ａ】本開示のいくつかの実施例による、二部分構成及び眼内排水デバイスを作成する方法を示す図である。
【図８Ｂ】本開示のいくつかの実施例による、二部分構成及び眼内排水デバイスを作成する方法を示す図である。
【図９Ａ】本開示のいくつかの実施例による、眼内排水デバイスを作成する方法を示す図である。
【図９Ｂ】本開示のいくつかの実施例による、眼内排水デバイスを作成する方法を示す図である。
【図９Ｃ】本開示のいくつかの実施例による、眼内排水デバイスを作成する方法を示す図である。
【図１０Ａ】本開示のいくつかの実施例による眼内排水デバイスを示す断面図である。
【図１０Ｂ】本開示のいくつかの実施例による眼内排水デバイスを示す上面図である。
【図１１】本開示のいくつかの実施例による眼内排水デバイスを示す断面図である。
【図１２】本開示のいくつかの実施例による眼内排水デバイスを示す三次元図である。
【図１３】本開示のいくつかの実施例による眼内排水デバイスを示す三次元図である。
【図１４】本開示のいくつかの実施例による、患者の目の中にあるイン・サイチュの眼内排水デバイスを示す断面図である。
【図１５】本開示のいくつかの実施例による、インサータ・デバイス内に配設された眼内排水デバイスを示す三次元図である。
【図１６】本開示のいくつかの実施例による眼内排水デバイスを示す三次元図である。
【図１７】本開示のいくつかの実施例による、曲線プロファイルの眼内排水デバイスを示す三次元図である。
【図１８】本開示のいくつかの実施例による、直線プロファイルの眼内排水デバイスを示す三次元図である。
【図１８Ａ】追加の保定部材を有する図１８の眼内排水デバイスを示す三次元図である。
【図１９】図１８の眼内排水デバイスの側面図である。
【図２０】インサータ・デバイスの針の中に配設された図１８の眼内排水デバイスを示す正面図である。
【図２１】本開示のいくつかの実施例による眼内排水デバイスを示す三次元図である。
【図２２】図２１の眼内排水デバイスの側面図である。
【図２３】インサータ・デバイスの針の中に配設された図２１の眼内排水デバイスを示す正面図である。
【図２４Ａ】本開示のいくつかの実施例による、インサータ・デバイスを使用した埋め込み処置を示す断面図である。
【図２４Ｂ】本開示のいくつかの実施例による、インサータ・デバイスを使用した埋め込み処置を示す断面図である。
【図２４Ｃ】本開示のいくつかの実施例による、インサータ・デバイスを使用した埋め込み処置を示す断面図である。
【図２４Ｄ】本開示のいくつかの実施例による、インサータ・デバイスを使用した埋め込み処置を示す断面図である。
【図２４Ｅ】本開示のいくつかの実施例による、インサータ・デバイスを使用した埋め込み処置を示す断面図である。
【図２５Ａ】本開示のいくつかの実施例による、インサータ・デバイスを使用した埋め込み処置を示す断面図である。
【図２５Ｂ】本開示のいくつかの実施例による、インサータ・デバイスを使用した埋め込み処置を示す断面図である。
【図２５Ｃ】本開示のいくつかの実施例による、インサータ・デバイスを使用した埋め込み処置を示す断面図である。
【図２５Ｄ】本開示のいくつかの実施例による、インサータ・デバイスを使用した埋め込み処置を示す断面図である。
【図２５Ｅ】本開示のいくつかの実施例による、インサータ・デバイスを使用した埋め込み処置を示す断面図である。
【図２６】本開示のいくつかの実施例によるインサータ・デバイスを示す上面図である。
【図２７Ａ】本開示のいくつかの実施例による、手術のある段階におけるインサータ・デバイスを示す切欠図である。
【図２７Ｂ】本開示のいくつかの実施例による、手術のある段階におけるインサータ・デバイスを示す切欠図である。
【図２７Ｃ】本開示のいくつかの実施例による、手術のある段階におけるインサータ・デバイスを示す切欠図である。
【図２７Ｄ】本開示のいくつかの実施例による、手術のある段階におけるインサータ・デバイスを示す切欠図である。
【図２８Ａ】本開示のいくつかの実施例による、手術のある段階におけるインサータ・デバイスを示す側面図である。
【図２８Ｂ】本開示のいくつかの実施例による、手術のある段階におけるインサータ・デバイスを示す側面図である。
【図２８Ｃ】本開示のいくつかの実施例による、手術のある段階におけるインサータ・デバイスを示す側面図である。
【図２８Ｄ】本開示のいくつかの実施例による、手術のある段階におけるインサータ・デバイスを示す側面図である。
【図２９Ａ】本開示のいくつかの実施例による、埋め込み処置中のインサータ・デバイスを示す概略図である。
【図２９Ｂ】本開示のいくつかの実施例による、埋め込み処置中のインサータ・デバイスを示す概略図である。
【図２９Ｃ】本開示のいくつかの実施例による、埋め込み処置中のインサータ・デバイスを示す概略図である。
【図３０Ａ】本開示のいくつかの実施例によるインサータ・デバイスを示す三次元図である。
【図３０Ｂ】図３０Ａのインサータ・デバイスの切欠図である。
【図３０Ｃ】把持部材を有する図３０Ａのインサータ・デバイスを示す部分平面図である。
【図３１Ａ】本開示のいくつかの実施例によるインサータ・デバイスを示す三次元図である。
【図３１Ｂ】図３１Ａのインサータ・デバイスの切欠図である。
【図３１Ｃ】図３１Ａのインサータ・デバイスの切欠平面図である。
【図３２】本開示のいくつかの実施例によるインサータ・デバイスを示す三次元図である。
【図３３】本開示のいくつかの実施例によるインサータ・デバイスを示す三次元図である。
【図３４Ａ】本開示のいくつかの実施例による眼内排水デバイス・アセンブリを示す三次元図である。
【図３４Ｂ】図３４Ａの眼内排水デバイス・アセンブリを示す部分三次元図である。
【図３４Ｃ】図３４Ａの眼内排水デバイス・アセンブリの排水デバイスを示す三次元図である。
【発明を実施するための形態】
【０００４】
以下の詳細な説明では、主題の技術の理解を提供するため、具体的な詳細について説明する。しかしながら、これらの具体的な詳細のいくつかを有さずに主題の技術が実施されてもよいことが、当業者には明白となるであろう。他の例では、良く知られている構造及び技術は、主題の技術の妨げとならないよう、詳細には示されていない。
【０００５】
眼内埋め込みシステム
いくつかの実施例によれば、例えば図１に示されるように、インサータ・デバイス２５０を使用して、眼内排水デバイス１００を患者の目１０１に埋め込みすることができる。
【０００６】
図１に示されるように、例えば、インサータ・デバイス２５０などの医療用又は外科用器具は、外科医の手又は他のオペレータによって把持されるように構成されたハンドル２５４と、ハンドル２５４上に配設され、インサータ・デバイス２５０内の内部メカニズムを作動させて、眼内排水デバイス１００をインサータ・デバイス２５０の遠位端から解放するように構成されたアクチュエータ２５２と、を含んでもよい。インサータ・デバイス２５０の遠位端は、目１０１の組織を穿刺するように、並びに／或いは解放前の排水デバイス１００を収容するように構成されてもよい、針２５３を含むことができる。
【０００７】
アクチュエータ２５２は、オペレータがアクチュエータを操作し排水デバイス１００を解放できるようにする、任意の適切なメカニズムとして実現することができる。アクチュエータ２５２としては、例えば、押しボタン、スライダ、ツイスト・スリーブ、接触感知式電子ボタン、及び／又はインサータ・デバイス２５０内の内部メカニズムを作動させるのにオペレータが操作することができる、他の任意の適切な構成要素を挙げることができる。アクチュエータ２５２によって作動させると、内部メカニズムは、排水デバイス１００を意図される標的部位（例えば、患者の目１０１の中の眼内部位）の適所に残すように、排水デバイス１００を針２５３から遠位方向に押し出すことによって、並びに／或いは針２５３又は別のスリーブを排水デバイス１００の周りで近位方向に後退させることによって、排水デバイス１００を解放するように構成することができる。
【０００８】
いくつかの実施例によれば、例えば図１に示されるように、眼内排水デバイス１００などの眼内デバイスは、本体１０２とチューブ１０６とを含んでもよい。チューブ１０６は管腔を有してもよく、図１に示されるように、チューブ１０６は、本体１０２に結合されるように構成された近位端を有することができる。チューブ１０６は、例えば、一個片として本体１０２と一体的に形成することができ、又はチューブ１０６は、本体１０２に挿入されるか若しくは別の方法で（例えば、本体１０２の遠位端で）取り付けられて本体１０２に流体結合する、別部品として製造することができる。チューブ１０６の遠位端は、患者の内腔（例えば、目１０１の前眼房）に挿入して、内腔に流体結合させることができる。チューブ１０６は、流入フローの流路（例えば、チューブ１０６の遠位端に入る流路）を有する入力チューブとして実現されてもよい。本明細書では、排水デバイス１００がチューブ１０６及び本体１０２の両方を含む実例について記載しているが、排水デバイス１００がチューブ１０６のみ又は本体１０２のみを含む、他の実施例が想到される。
【０００９】
いくつかの実施例によれば、本体１０２及び／又はチューブ１０６などの排水デバイス１００の構成要素は、可撓性であってもよく、シリコーン及び／又は親水性若しくは疎水性アクリルなど、生体適合性の可撓性材料から作られてもよい。それに加えて又はその代わりに、様々な他の材料のいずれかが適切であり得ることが想到される。更に、本明細書では、本体１０２及びチューブ１０６が可撓性であり、可撓性の生体適合性材料から作られる実例が記載されるが、剛性材料による他の実現例が想到される。
【００１０】
いくつかの実施例によれば、チューブ１０６及び／又は本体１０２は、低眼圧（過度な房水の排出によって起こり得る眼合併症の可能性を増加させる、低い眼内圧）のリスクを低減させる特徴を含むことができる。例えば、チューブ１０６及び／又は本体１０２は、弁、流量制限管腔、及び／又は低眼圧のリスクを低減する他のメカニズムを含むことができる。
【００１１】
いくつかの実施例によれば、例えば図２に示されるように、排水デバイス１００は、例えば、緑内障又は他の症状の治療のためにＩＯＰを低減させることができる房水シャント（aqueous shunt）をもたらすため、患者の目１０１の強膜１１３と結膜１１４との間に外科的に埋め込みされてもよい。いくつかの実施例によれば、排水デバイス１００は、インサータ・デバイス２５０を使用して、また眼外手技（ab externo procedure）を使用して、目１０１の前眼房１１５に埋め込みされてもよい。例えば、埋め込みの間、針２５３が強膜１１３を通して挿入されて、強膜路（scleral tract）を形成してもよく、針２５３の遠位先端が、強膜１１３を通して前眼房１１５に挿入されてもよい。次に、針を後退させるか又は別の形で排水デバイス１００を解放し、埋め込みされた排水デバイス１００の部分を強膜路内に残すように、アクチュエータ２５２が操作されてもよい。インサータ・デバイス２５０が除去された後、埋め込みされたチューブ１０６の一部分は、強膜路を通って延在し、前眼房１１５を結膜ポケット又はテノン嚢下ポケットに接続してもよい。排水デバイス１００は、眼房水又は他の流体がデバイス１００を通って（例えば、矢印１１１によって示されるような流体フロー方向に）流れ、１つ又は複数の出口ポートから外に出て、（例えば、強膜上静脈系を介して）周囲組織に吸収されるように、埋め込みされてもよい。他の実施例では、デバイスは、透明角膜切開を通して前眼房にアクセスし、針を適切な四分円へと前進させ、強膜岬付近の角度を穿刺し、導入器（例えば、インサータ・デバイス２５０）をテノン嚢下空間内へと前進させてから、導入器を後退させ、排水デバイスを適所に残して、流体を前眼房からテノン嚢下空間へと排水することを伴う、眼内アプローチによって埋め込みされてもよい。同様のアプローチが、眼内又は眼外アプローチから、排水デバイスを上脈絡膜腔に入れるか、或いは１つの眼区画を別の眼区画に接続する、又は１つの眼区画を、経結膜、経角膜縁（translimbal）、若しくは経角膜流出経路を含む外眼空間（extraocular space）に接続するのに使用されてもよい。
【００１２】
図２は、本体１０２が患者の目の強膜１１３と結膜１１４との間に配設されるようにして、患者の目１０１の中にイン・サイチュで配設された、眼内排水デバイス１００の断面図を概略的に示している。強膜１１３と結膜１１４との間の領域は、排水デバイスの本体部分１０２を保定する結膜ポケットを形成することができる。いくつかの実施例によれば、本体１０２は、強膜１１３と結膜１１４との間のテノン嚢下空間に埋め込みされてもよい。図示されるように、チューブ１０６は、目の前眼房１１５（角膜１１７、レンズ１１８、及び虹彩１１９によって部分的に境界が定められる）内の眼房水が、（矢印１１１によって示されるように）チューブ１０６の管腔に流れ込むことができるように、強膜１１３を通って延在してもよい。図２に示されるように、デバイス１００を通って流れた流体は、デバイス１００の上及び／又は周りに、患者の皮膚に吸収され得る小疱１２１を形成することがある。このように、緑内障の症状と関連付けられた前眼房１１５内の過剰な流体圧力が緩和されてもよい。
【００１３】
排水デバイス
いくつかの実施例によれば、例えば図３に示されるように、排水デバイス１００は、入口ポート１２５と複数の出口ポート１２７とを有することができる。入口ポート１２５は、目の前眼房からの流入眼房水など、流入流体を受け入れるように構成することができ、出口ポート１２７は、小疱又は他の患者組織への流出眼房水など、流出流体を放出するように構成することができる。入口ポート１２５は、例えば、チューブ１０６の遠位端に配設することができ、前眼房に接触して眼房水を受け入れるように構成することができる。
【００１４】
排水デバイス１００は、管腔又は他の流体経路（図３には図示なし）がデバイス１００を通って延在し、入口ポート１２５を様々な出口ポート１２７に流体接続することができる、マニホルドとして実現することができる。ポート及び管腔は、入口ポート１２５が、複数の出口管腔、又は複数の余剰の出口ポート１２７で終端する他の出口流体経路へと分岐する入口管腔に接続するように、構成することができる。管腔はそれぞれ、少なくとも部分的に排水デバイス１００の内部を通って延在する、実質的に管状の流体経路を提供してもよい。複数の出口ポート及び流体経路を使用することで、例えば、出口ポート１２７のうちいずれか１つ又は複数が（例えば、患者組織によって）阻害された場合に、流体の様々な出口点を提供することができる。また、複数の出口ポートを使用することで、流体がテノン嚢下空間並びに結膜下空間に同時に流れ込むことを可能にしてもよい。例えば、出口ポート１２７は、目に埋め込みされたとき、出口ポート１２７の１つ若しくは複数がテノン嚢下空間に接触するか又は別の形で流体が流れ込むことができるように、また出口ポート１２７のうち他の１つ若しくは複数が結膜下空間に接触するか又は別の形で流体が流れ込むことができるように、構成されてもよい。いくつかの実施例によれば、入口管腔は、入口管腔が主に流量を制限してＩＯＰを調整することができるように、複数の出口管腔及び出口ポート１２７に達する前に流体フローを送り込むための単一の流入チャネルを提供してもよい。しかしながら、様々な実施例では、出口管腔のサイズ及び数は排水デバイスの圧力低下も規定することがある。いくつかの実施例によれば、例えば、入口管腔は、出口管腔の１つ、いくつか、又は全てよりも小さい直径を有して、入口管腔が流体フローを主に制限することができるようにしてもよい。しかしながら、入口及び出口管腔が、流体が排水デバイス１００を通って流れることができるようにする任意の適切な形で、同じであるか又は互いに異なることができる任意の適切な直径を有する、他の実現例が想到される。
【００１５】
いくつかの実施例によれば、入口管腔を、出口ポートに接続された出口管腔の１つ、いくつか、又は全てに対して横断方向で配向することができる。例えば、出口管腔の１つ、いくつか、又は全てが、流体フローの方向を参照して、入力管腔の方向に対して約９０°（垂直）〜４５°の範囲内で配向されてもよい。かかる４５°の配置の一例は、後述する図９Ａ〜９Ｃにも示されている。配向の例について記載しているが、管腔又は流体経路に対して他の角度及び配向が使用されてもよい、他の実現例が想到される。
【００１６】
いくつかの実施例によれば、本体１０２の外表面を、ポリビニル・アルコール又はポリ（乳酸・グリコール酸共重合体）（ＰＬＧＡ）など、生分解性材料でコーティングすることができる。生分解性材料は、初期術後治癒期間の間に、穴を初期に閉塞し、流体フローがデバイスを通るのを防ぐように、出口ポート１２７の全てなど、本体のポートを被覆するようにコーティングされてもよい。時間に伴い、コーティングが劣化して、ポート及び他の外表面の特徴を露出させ、初期術後期間が経過した後に、流体経路を開いて排水デバイス１００を通って流体が排水されることがある。いくつかの実施例では、ＰＬＧＡ又は他の生分解性コーティングは、ステロイド若しくはラパマイシンなど、抗線維化又は抗炎症分子を含んでもよい。いくつかの実施例では、デバイスの１つ又は複数の管腔は親水性材料でコーティングされて、流体伝達を促進する。他の実施例では、管腔及び／又はデバイス全体がヘパリン又は他の材料でコーティングされて、イン・サイチュでのデバイス内又はデバイス上の血栓形成を減少させる。
【００１７】
排水デバイス１００が複数の出口を含む実例について記載しているが、１つのみの出口ポート又は１つのみの管腔が含まれる、他の実現例が想到される。
【００１８】
いくつかの実施例によれば、例えば図３に示されるように、本体１０２をチューブ１０６の近位側に配設し、チューブ１０６に対してサイズを拡張させることができる。したがって、チューブ１０６は、本体領域１０２よりも全体的に幅が狭く本体１０２の遠位側に配設される、デバイス１００のネック領域を提供することができる。いくつかの実施例によれば、入口ポート１２５は、少なくとも部分的にデバイス１００の遠位部分にあるネック領域を通って延在する、入口管腔に結合されてもよい。それに加えて又はその代わりに、複数の出口ポート１２７は、複数の出口管腔、又はそれぞれ入口管腔から分岐し、デバイスの近位部分において少なくとも部分的に本体１０２を通って延在する、他の出口流体経路に結合されてもよい。埋め込みの際、本体１０２を、例えば、結膜ポケット内で保定し、強膜の外表面及び／又は結膜の内表面などの周囲組織に隣接させることができる。
【００１９】
いくつかの実施例によれば、例えば図３に示されるように、短軸及び長軸を規定するプレート状構造を備えた本体１０２を実現することができ、それらの軸は両方とも、入口ポート１２５における流入流体フローの方向によって規定される、排水デバイス１００の長手方向軸を横断してもよい。長軸の方向での本体１０２のサイズを短軸の方向での本体１０２のサイズよりも大きくして、プレート状構造をもたらしてもよく、それによって結膜ポケット内での小疱形成が促進されることがある。埋め込みの際、本体１０２は、長軸が強膜の表面に対して横断方向に延在し、短軸が強膜表面に対して法線方向に延在するように、ポケットに入れてもよい。しかしながら、本体１０２がプレート状構造を有さない、他の実現例が想到される。例えば、本体１０２は、チューブ１０６に対して拡張させることができる、外径又は外周がチューブ１０６の外径又は外周よりも大きい、他の任意の適切な形状又はサイズを有することができる。
【００２０】
いくつかの実施例によれば、本体１０２の外表面は、上面１３６と、上面の反対側の下面（図３には図示なし）とを含むことができる。側壁面１３７が上面と下面との間に配設されてもよい。いくつかの実施例によれば、下面は、例えば、凹状形状が強膜表面の凸状形状に適合するように、凹状にされ、強膜表面に面することができる。上面１３６は、例えば、凸状表面が結膜表面の凹状内部形状に適合するように、凸状にされ、結膜に面することができる。上面及び／又は下面が平坦にされるか、或いは他の輪郭の幾何学形状を有することができる、他の実現例が想到される。
【００２１】
いくつかの実施例によれば、例えば図３に示されるように、出口ポート１２７は、本体１０２の側壁面１３７及び近位端に沿って分配することができる。出口ポートが本体１０２の側壁及び／又は遠位端に沿って分配される実例について記載しているが、出口ポート１２７を、全体として、上面１３６、下面、側壁面１３７、及び／又はデバイス１００の近位端にある近位面のうちいずれか１つ若しくは複数に配設することができる、他の実現例が想到される。いくつかの実施例によれば、出口ポート１２７を、デバイス１００の外表面上の複数の位置にわたって分配して、出口ポート１２７の全てを阻害する局所化された閉塞の可能性を低減することができる。
【００２２】
いくつかの実施例によれば、例えば図３に示されるように、外表面は、微細溝１４１、微細溝１４２、及び／又は微細溝１４３などの溝を含むことができる。図３に示されるように、微細溝１４１は、本体１０２に配設され、外側上面１３６及び／又は下面に沿って延在することができる。微細溝１４２は、本体１０２に配設され、側壁面１３７に沿って延在することができる。図３に示される微細溝１４２など、微細溝のいくつか又は全ては、例えば、出口ポート１２７の間の領域で延在することができる。図３に示されるように、微細溝１４１及び／又は微細溝１４２は、流入流体フローの方向と実質的に同じであってもよい長手方向で、互いに実質的に平行に延在することができる。微細溝パターン１４１及び／又は１４２は、例えば、埋め込み後の時間に伴って、目の治癒反応を助け、並びに／或いはデバイスの機能を改善してもよい。例えば、いくつかの実施例では、微細溝１４１及び１４２などの溝を含む表面パターニングを使用して、埋め込みされたデバイスに対する細胞若しくは細菌付着を強化、即ち防止することができる。それに加えて又はその代わりに、微細溝パターンは、細胞を組織化してインプラントに沿って制御された位置合わせにするのを助けるために提供されてもよい。図示される実例では、例示目的のため、数本のみの微細溝が示されている。しかしながら、様々な実現例では、例えば、上面１３６、下面、側壁面１３７、及び／又は他のいずれか所望の表面などの表面を実質的に被覆するため、１つ、２つ、３つ、４つ、数十、数百、又は数千の微細溝が形成されてもよい。
【００２３】
図３に示されるように、微細溝１４３は、ネック領域に含まれ、本体領域１０２の微細溝１４１及び／又は微細溝１４２の遠位側に配設されてもよい。微細溝１４３は、微細溝１４１及び／又は微細溝１４２に対して実質的に垂直に延在してもよい。例えば、微細溝１４３は、流体フローの方向に実質的に垂直な方向で、チューブ１０６の周りで円周方向に延在してもよく、微細溝１４１及び／又は１４２は、流体フローの方向に実質的に平行に、本体１０２に沿って長手方向に延在してもよい。いくつかの実施例によれば、垂直方向の微細溝１４３は、眼内部位に埋め込みする際に、デバイスの保定を容易にし、デバイスの転位を最小限に抑える、保定機構として実現されてもよい。いくつかの実施例では、垂直方向の微細溝１４３は、微細溝１４１及び／又は１４２よりも比較的大きくてもよい。例えば、各微細溝又は微細溝パターンは、等間隔の列で形成されてもよい。各微細溝は、幅、深さ、及び隣接する微細溝からの間隔を有してもよい。いくつかの実施例によれば、微細溝１４１及び／又は１４２はそれぞれ、約１０〜４０ミクロンの範囲の、幅、深さ、及び／又は隣接する微細溝からの間隔を有してもよい（例えば、１つの実現例では、それぞれ約２５ミクロンに等しい）。対照的に、微細溝１４３はそれぞれ、微細溝１４１及び／又は１４２よりも約１〜２桁大きい範囲など、約４０ミクロンよりも大きい幅、深さ、及び間隔を有してもよい（例えば、１つの実現例では、約６３５ミクロンに等しい）。特定の寸法に関する実例について記載しているが、寸法がこれらの範囲外である他の実現例が想到されることが、理解されるべきである。いくつかの実施例によれば、微細溝パターンは、排水デバイス１００の表面のレーザー・パターニングによって、又は表面パターンを作成する他の任意の適切な方法によって形成されてもよい。
【００２４】
いくつかの実施例によれば、例えば図４〜７に示されるように、排水デバイスのチューブ１０６などの排水デバイス１００は、円周方向の微細溝１４３の代わりに、又はそれらに加えて、１つ若しくは複数の保定機構を含んでもよい。保定機構は、例えば、排水デバイス１００を埋め込み部位で保定するのを容易にし、並びに／或いは縫合糸を必要とせずに排水デバイス１００の転位を最小限に抑えてもよい。
【００２５】
いくつかの実施例によれば、例えば図４に示されるように、１つ又は複数の保定フィン１４４が、排水デバイス１００のチューブ領域１０６に含まれてもよい。図４に示されるように、保定フィン１４４は、本体１０２の近位端に向かって角度を付けた返しとして実現されてもよい。近位方向の配向は、患者組織内又は組織間に遠位方向で挿入するのを容易にしてもよい。それに加えて又はその代わりに、近位方向に角度を付けた配向は、埋め込み後に排水デバイス１００を前眼房から除去することができる形で、埋め込みされたデバイスが近位方向に転位する傾向を低減するのに役立つことができる。
【００２６】
いくつかの実施例によれば、例えば図５に示されるように、チューブ１０６の遠位端は、デバイス１００の保定を容易にするオリフィス取付部１４５を含んでもよい。オリフィス取付部１４５の遠位端は、遠位端が目の前眼房に挿入されたときに保定を容易にするように、径方向外側に広がった部分を含んでもよい。
【００２７】
いくつかの実施例によれば、例えば図６に示されるように、本体１０２は、砂時計形状などの輪郭プロファイルを含んでもよい。砂時計形状は、ネック領域を含んでもよく、ネック領域の対向端部におけるデバイス１００の部分は、外側に拡張されるか、又は比較的狭いネック部分と比較して増加した直径を有する。例えば、本体１０２がネック領域よりも大きいサイズを有してもよいだけでなく、ネック領域の反対側にあるチューブ１０６の遠位先端も、ネックよりも大きいサイズを有し、ネックに対して拡張されてもよい。いくつかの実施例によれば、例えば図６に示されるように、チューブ１０６の拡張された遠位先端は、ネックの反対側にある本体１０２の最大部分よりも（例えば、直径又は断面積が）小さくてもよい。
【００２８】
いくつかの実施例によれば、例えば図７に示されるように、チューブ１０６は、埋め込みされた本体の保定を容易にする保定用の隆起１４６を含んでもよい。
【００２９】
いくつかの実施例によれば、例えば図８Ａ〜８Ｂに示されるように、非常に小さいマニホルド構造であってもよい眼内排水デバイス１００の製造は、二部分構造を使用して遂行することができる。図８Ａ及び８Ｂに示されるように、排水デバイス１００は、遠位区画１６１と近位区画１６２とを含むことができる。遠位区画１６１は、例えば、チューブ１０６に相当することができ、近位区画１６２は、例えば、本体１０２に相当することができる。遠位区画１６１の近位端は、近位区画１６２の遠位端と接合することができる。遠位区画１６１は、遠位区画の近位端で露出した内部ポート１６６に流体結合される、入口管腔１６５を含むことができる。近位区画１６２は、近位区画１６２の遠位端で露出した複数の内部ポート１６９に流体結合される、複数の出口管腔１６８を含むことができる。図８Ａ及び８Ｂに示されるように、例えば、複数の内部ポート１６９を近位区画１６２の遠位端に対して窪ませて、遠位区画１６１及び近位区画１６２が互いに接合されたとき、入口管腔１６５と複数の出口管腔１６８との間に分配チャンバ１７０を形成できるようにすることができる。他の実現例では、内部ポート１６６を遠位区画１６１の近位端に対して窪ませてもよく、又は内部ポート１６６及び複数の内部ポート１６９の両方をそれぞれの端部に対して窪ませて、互いに接合されたときに分配チャンバ１７０を形成するようにしてもよい。
【００３０】
いくつかの実施例によれば、例えば図９Ａ〜９Ｃに示されるように、排水デバイス１００、又は本体１０２などの排水デバイス１００の構成要素は、複数管腔又はマニホルド構造を形成するように、可溶性コア１７２（例えば、水溶性材料で作られたコア）を使用して製造することができる。例えば、図９Ａに示されるように、可溶性コア１７２は、最終構成における所望の入口管腔に相当することができる第１の延在部材１７３と、最終構成における所望の複数の分岐した出口管腔に相当することができる、第１の延在部材から分岐する複数の第２の延在部材１７４とを有するパターンに形成することができる。第２の延在部材は、例えば、第１の延在部材に対して４５〜９０°の角度（図９Ａでは４５°）で配向されるか、又は他の任意の所望のマニホルド幾何学形状であってもよい。図９Ｂに示されるように、例えば、本体１０２又は排水デバイス１００全体に相当することができる部分１３１を、可溶性コア１７２の上に成型することができる。成型部分１３１は、コア１７２を溶解するのに使用されるのと同じ溶媒に対して可溶性ではない、任意の適切な材料であってもよい。例えば、コア１７２は水溶性材料であってもよく、成型部分１３１は非水溶性材料で作られてもよい。図９Ｃに示されるように、例えば、可溶性コア１７２を溶媒（例えば、水）で溶解して残し、そのコアを、最初のコア１７２のパターンに相当する入口管腔１６５及び複数の出口管腔１６８を含むマニホルド構造と置き換えてもよい。
【００３１】
いくつかの実施例によれば、例えば図１０Ａに示されるように、複数管腔構造は、複数の小さいチューブ１７５を横に並べて互いに結合することによって形成されてもよい。横並びの幾何学形状は、例えば、排水デバイス１００の本体１０２におけるプレート状の幾何学形状を形成するのも容易にしてもよく、その場合、チューブ１７５をプレート状本体の長軸に沿って横に並べて配置することができる。
【００３２】
いくつかの実施例によれば、例えば図１０Ｂに示されるように、本体領域１０２などの排水デバイス１００は、複数の多角形１３２を含むことができる。多角形１３２は、例えば、多角形１３２の間の介在空間に複数の出口管腔１６８（例えば、流体経路）を形成するため、規則的な間隔で直列に配置することができる。この実例では、流体経路は必ずしも、構造を通って延在する管腔又は管状経路の形態でなくてもよい。
【００３３】
排水デバイス１００の構造の様々な実例について記載しているが、他の方法を使用して排水デバイス１００を製造できることが想到される。
【００３４】
いくつかの実施例によれば、例えば図１１に示されるように、排水デバイス１００は、流体を搬送する経路となる管腔１７６を有するチューブ１０６を含んでもよい。管腔１７６の中にスポンジ基質が配設されて、流量制限を容易にしてもよい。本明細書に記載するような複数管腔構造の代わりに、又はそれに加えて、スポンジ基質を有するチューブ１０６が使用されてもよい。
【００３５】
いくつかの実施例によれば、例えば図１２に示されるように、排水デバイス１００は、保定機構となる円周方向の波形を提供することができる、コイルを備えた端部を有するチューブ１０６を含んでもよい。それに加えて又はその代わりに、コイルは、チューブ１０６がインサータ・デバイス２５０内（例えば、針２５３内）に収容されたときは直線のままであるが、インサータ・デバイス２５０から排出された（例えば、針２５３から排出された）ときに曲がって曲率に適合することができるように、強膜の曲率と適合するように構成された、所定の曲率を有する形状記憶材料で構成されてもよい。
【００３６】
いくつかの実施例によれば、例えば図１３に示されるように、チューブ１０６は円形の断面形状を有してもよい。それに加えて又はその代わりに、チューブ１０６は、Ｄ字形、楕円形など、様々な他の断面形状のいずれかを有してもよい。
【００３７】
いくつかの実施例によれば、例えば図１３に示されるように、チューブ１０６は、第１の保定部材１８０、及び第１の保定部材１８０の近位側に配設することができる第２の保定部材１８１など、複数組の保定機構を含んでもよい。図１３に示されるように、例えば、第１の保定部材１８０は、チューブ１０６の外表面から径方向外側に突出する、１つ又は複数のフィンを含むことができる。フィンは、その近位側に、埋め込み処置中及び／又は埋め込み後、患者組織及び／又はデバイス構成要素に当接して、チューブ１０６の近位方向の後方移動を妨げるように構成することができる、停止面１８３を含むことができる。それに加えて又はその代わりに、フィンの遠位側は、埋め込みの間、患者組織に接して摺動し、並びに／或いは患者組織の開口部を拡張して、患者組織を通してチューブ１０６又はチューブ１０６の遠位端を展開するのを容易にすることができる、傾斜面１８４を含むことができる。図１３に示されるように、例えば、傾斜面１８４は、チューブ１０６の外表面に対して鈍角を形成することができる。それに加えて又はその代わりに、停止面１８３は、（例えば、チューブ１０６の外表面に対して垂直又は鋭角を形成するように）９０°以下の角度を有することができる。図１３は、第１の保定部材１８０がチューブ１０６の対向面に配設された一対の別個のフィンを含む、実例を示している。しかしながら、１つ若しくは複数のフィンが任意の適切な数（例えば、１つのフィン、２つのフィン、３つのフィン、５つのフィン、１０個のフィンなど）含まれる、又はフィンがチューブの周りで円周方向に延在するように連続的に作られてもよい、他の実現例が想到される。停止面１８３及び傾斜面１８４が実質的に平坦である実例について記載しているが、これらの表面のうち任意の１つ又は複数が曲線状である、並びに／或いは他の幾何学形状を有することができる、他の実現例が想到される。更に、特定の角度及び範囲について記載しているが、これらの表面がこれら特定の角度又は範囲以外の角度を形成してもよい、他の実現例が想到される。
【００３８】
いくつかの実施例によれば、例えば図１３に示されるように、第１の保定部材１８０の近位側に配設された第２の保定部材１８１は、円周方向に延在する隆起など、摩擦増強機構を含むことができる。
【００３９】
図１４は、患者の目１０１に埋め込みされたときの、図１３に示される実現例による排水デバイス１００がイン・サイチュで示されている、目１０１の断面図である。図１４に示されるように、例えば、排水デバイス１００のチューブの遠位端は、患者の目１０１の前眼房１１５内に配設される。排水デバイス１００のチューブは、第１の保定部材１８０（例えば、フィン）を前眼房１１５内に配設することができるように、強膜路１８６を通して配設することができる。第１の保定部材の停止面１８３などの近位側は、チューブ１０６が前眼房１１５に対する流体結合を維持するように、チューブの近位方向移動又は転位を妨げるため、線維柱帯１８７などの患者組織に隣接して当接させることができる。第１の保定部材１８０の傾斜面１８４などの遠位側は、チューブが患者組織の開口部を通って摺動できるようにしてもよい。
【００４０】
図１４に示されるように、例えば、第２の保定部材１８１を、前眼房１１５の外側に配設し、強膜１１３の強膜組織に隣接させて保定することができる。第２の保定部材１８１は、例えば、第２の保定部材１８１と強膜表面との間の摩擦を増強することによって、保定を容易にしてもよい。図１４に示されるように、排水デバイス１００が埋め込みされると、第２の保定部材を強膜路１８６内で保定することができる。それに加えて又はその代わりに、第２の保定部材は、結膜１１４と強膜１１３との間の結膜ポケット内の強膜組織など、他の組織に隣接させて保定することができる。
【００４１】
いくつかの実施例によれば、例えば図１５に示されるように、それに加えて又はその代わりに、保定フィンなどの第１の保定部材１８０が、埋め込み処置中に排水デバイス１００を展開する間、チューブ１０６の保定を容易にすることができる。例えば、停止面１８３は、針２５３が遠位方向に動く間、排水デバイスが針内に収容されたままであることができるように、インサータ・デバイス２５０の針２５３の遠位側に当接することができる。針の遠位方向の動きは、強膜１１３を通して前眼房１１５内へと針２５３を前進させるにつれて、強膜路１８６を形成するのに使用することもできる。排水デバイス１００は、例えば、第１の保定部材１８０の近位面が患者組織に当接してチューブ１０６を適所で保持した状態で、針２５３を後退させることによって、インサータ・デバイス２５０から排出させることができる。埋め込み処置の間、フィンは、針２５３の遠位先端に含まれるそれぞれのスロット２０１内に配設することができる。スロット２０１は、チューブ１０６を針２５３の遠位端から突出させることなく、第１の保定部材１８０が針２５３の遠位側に当接することを可能にしてもよい。しかしながら、スロット２０１が省略される、他の実現例が想到される。
【００４２】
いくつかの実施例によれば、例えば図１６に示されるように、チューブ１０６は、複数管腔本体を必要とすることなく、排水デバイスを提供してもよい。かかる実施例では、チューブ１０６は、例えば、結膜ポケット内へと排水する、近位端で終端する単一管腔を備えたシャントを提供してもよい。いくつかの実施例によれば、例えば図１６に示されるように、近位端は、結膜を強膜から分離するのを助けることができる、プレート１８９を含むことができる。それに加えて又はその代わりに、プレート１８９は小疱を維持するのを助けてもよい。プレート１８９は、例えば、図１６に示されるようなシリコーンのリングによって実現されてもよい。プレート１８９は、例えば、チューブの片側に配設され、流体フローが中に含まれる内部管腔を有さない、実質的に中実又はモノリシックの構造であってもよい。或いは、プレート１８９が省略される、他の実現例が想到される。
【００４３】
いくつかの実施例によれば、排水デバイス１００ａが提供される。例えば図１７に示されるように、排水デバイス１００ａは、本体１０２ａとチューブ１０６ａとを含む曲線プロファイルを有してもよい。曲率は、例えば、直径２．５４ｍｍの曲率など、目の輪郭に合うように構成されてもよい。チューブ１０６ａのパターン化範囲１０５ａは、複数の保定部材１８１ａを含んでもよい。例えば、パターン化範囲１０５ａは、排水デバイス１００ａが目１０１への挿入後に前方若しくは後方に移動するのを防ぐか又は妨げるように、排水デバイス１００ａを目１０１の強膜１１３内で保定するように構成された、大きい垂直方向パターンであってもよい。複数の出口ポート１２７ａが、組み合わされた本体１０２ａ及びチューブ１０６ａに配設される。例えば、図１７に示されるように、１つの出口ポート１２７ａがチューブ１０６ａの前端に配設されてもよく、３つの出口ポート１２７ａが本体１０２ａの各側に配設されてもよい。入口ポート１２５ａは本体１０２ａの内部を通して配設される。上述したように、本体１０２ａの出口ポート１２７ａは、図１７に示されるように、入口ポート１２５ａに垂直に、又はある角度（例えば、４５°）で配設されてもよく、チューブ１０６ａの前端の出口ポート１２７ａは、入口ポート１２５ａと一直線であってもよい。本体１０２ａは、本体１０２ａ内に配設された出口ポート１２７ａを保護するように構成された、１つ又は複数のスロット１５０ａ（例えば、堀）を含んでもよい。例えば、出口ポート１２７ａのいくつかは、組織が成長して場合によっては個々の出口ポート１２７ａを閉塞するにつれて、スロット１５０ａがスロット又は堀１５０ａに沿った排水路となるように、スロット１５０ａ内に配設されてもよい。
【００４４】
いくつかの実施例によれば、排水デバイス１００ｂが提供される。例えば図１８〜２０に示されるように、排水デバイス１００ｂは、本体１０２ｂとチューブ１０６ｂとを含む。チューブ１０６ｂのパターン化範囲１０５ｂは、複数の保定部材１８０ｂ及び１８１ｂを含んでもよい。例えば、保定部材１８０ｂは、ある角度で外側に突出する径方向フィンであってもよく、保定部材１８１ｂは、垂直方向で外側に延在するリブであってもよい。リブ１８１ｂの数及びサイズは特定の特性に合わせて提供されてもよい。例えば、数が少なくサイズが大きいリブ１８１ｂは、製造を簡単又は効率的にすると共に、パターン化範囲１０５ｂ（例えば、保定機構）の一体性を増大させることができる。保定部材１８０ｂ及び１８１ｂは、外側に延在して、本体１０２ｂの外側プロファイル（例えば、幅、直径）に合うように構成されてもよい。パターン化範囲１０５ｂは、排水デバイス１００ｂが目１０１への挿入後に前方若しくは後方に移動するのを防ぐか又は妨げるように、排水デバイス１００ｂを目１０１の強膜１１３内で保定するように構成されてもよい。例えば、保定部材１８０ｂは、経路内又は目１０１の前眼房１１５の直ぐ内側に収まるように構成されてもよい。保定部材１８１ｂは、排水デバイス１００ｂの長手方向軸に沿って圧縮可能であってもよい。例えば、保定部材１８１ｂは、針２５３内に配設された状態で圧縮されることによって、排水デバイス１００ｂの長さを短縮してもよく、針２５３を挿入し後退させた後、拡張するか又は跳ね返って非圧縮状態に戻ってもよい。
【００４５】
図１８Ａに示されるように、可動保定部材１８５が、保定部材１８１ｂの始まり及び／又は終わりに隣接して、本体１０２ｂ及び／又はチューブ１０６ｂ上に配設されてもよい。可動保定部材１８５は、対応する本体１０２ｂ若しくはチューブ１０６ｂと一体の可撓性アーム、又は対応する本体１０２ｂ若しくはチューブ１０６ｂに結合された別個の構成要素であってもよい。可動保定部材１８５は、排水デバイス１００ｂが挿入デバイス内に配設された状態で、内側に押し潰されて（例えば、本体１０２ｂ又はチューブ１０６ｂを締め付けて）もよく、可動保定部材１８５は、排水デバイス１００ｂを強膜１１３内で更に保定するために、目１０１に挿入した後に跳ね返って開いて（例えば、穿開を横切る強膜厚さのどちらかの側で跳ね返って開いて）もよい。
【００４６】
図１８に示されるように、１つの出口ポート１２７ｂがチューブ１０６ｂの前端に配設されてもよく、３つの出口ポート１２７ｂが本体１０２ｂの各側に配設されてもよい。入口ポート１２５ｂは、本体１０２ｂの内部を通して配設される。上述したように、本体１０２ｂの出口ポート１２７ｂは、図１８に示されるように、入口ポート１２５ｂに垂直に、又はある角度（例えば、４５°）で配設されてもよく、チューブ１０６ｂの前端の出口ポート１２７ｂは、入口ポート１２５ｂと一直線であってもよい。
【００４７】
図２０に示されるように、排水デバイス１００ｂは、インサータ・デバイス２５０の針２５３内に嵌合するように構成される。保定部材１８０ｂ及び１８１ｂは本体１０２ｂの外側プロファイルを超えないようにサイズ及び形状が決められるので、針２５３のサイズは、本体１０２ｂのプロファイルに基づいて選択されてもよい。排水デバイス１００ｂは、図１８及び１９に示される直線プロファイルで、又は図１７に示される曲線プロファイルで構成されてもよい。
【００４８】
いくつかの実施例によれば、排水デバイス１００ｃが提供される。例えば図２１〜２３に示されるように、排水デバイス１００ｃは、本体１０２ｃとチューブ１０６ｃとを含む。チューブ１０６ｃのパターン化範囲１０５ｃは、複数の保定部材１８１ｃを含んでもよい。例えば、保定部材１８１ｃは、本体１０２ｃの外側プロファイル（例えば、幅、直径）を超えて外側に延在する、ツイスト状のねじであってもよい。パターン化範囲１０５ｃは、排水デバイス１００ｃが目１０１への挿入後に前方若しくは後方に移動するのを防ぐか又は妨げるように、排水デバイス１００ｃを目１０１の強膜１１３内で保定するように構成されてもよい。例えば、保定部材１８１ｃは、目１０１の組織を伸展させ、それによって排水デバイス１００ｃを強膜路内に効率的に格納し封止するように構成されてもよい。
【００４９】
図２１に示されるように、１つの出口ポート１２７ｃがチューブ１０６ｃの前端に配設されてもよく、３つの出口ポート１２７ｃが本体１０２ｃの各側に配設されてもよい。入口ポート１２５ｃは、図２２に示されるように、本体１０２ｃの内部を通して配設される。上述したように、本体１０２ｃの出口ポート１２７ｃは、入口ポート１２５ｃに垂直に、又はある角度（例えば、４５°）で配設されてもよく、チューブ１０６ｃの前端の出口ポート１２７ｃは、入口ポート１２５ｃと一直線であってもよい。
【００５０】
図２２に示されるように、排水デバイス１００ｃは、インサータ・デバイス２５０の針２５３内に嵌合するように構成される。保定部材１８１ｃは本体１０２ｃの外側プロファイルを超えるようにサイズ及び形状が決められるので、針２５３のサイズは、保定部材１８１ｃのプロファイルに基づいて選択されてもよい。排水デバイス１００ｃは、図２１及び２２に示される直線プロファイルで、又は図１７に示される曲線プロファイルで構成されてもよい。
【００５１】
排水デバイス１００、１００ａ、１００ｂ、１００ｃはいずれも、本体１０２、１０２ａ、１０２ｂ、１０２ｃ若しくはチューブ１０６、１０６ａ、１０６ｂ、１０６ｃ上に配設されるか又はそれらと一体的に形成された、配向機構を含んでもよい。配向機構は、排水デバイス１００、１００ａ、１００ｂ、１００ｃの一端又は他端（例えば、上若しくは下、近位側若しくは遠位側）を示すことによって、排水デバイス１００、１００ａ、１００ｂ、１００ｃが目１０１に挿入された後の配向を視覚的に指示する、視覚インジケータ（例えば、色、テクスチャ、パターン）であることができる。
【００５２】
埋め込み処置
上述したように、インサータ・デバイス２５０などの導入器具を使用して、眼内排水デバイス１００を眼外又は眼内から目の様々な位置に埋め込みすることができる、様々な実現例が想到される。
【００５３】
いくつかの実施例によれば、例えば図２４Ａ〜２４Ｅ及び図２５Ａ〜２５Ｅに示されるように、埋め込み方法は、インサータ・デバイス２５０の針２５３が結膜切開２０２を通して、また強膜１１３を通して挿入されて、強膜１１３に穿刺経路１８６を形成する、眼外アプローチを用いることができる（穿刺経路１８６は、本明細書では、「強膜路」と呼ばれる場合もある）。針２５３が強膜路１８６を形成した後、針２５３の遠位先端が前眼房１１５に入って、眼房水を前眼房１１５から排水するための穿開を形成することができる。流出経路は、針２５３が前眼房１１５に近付く間に形成されたのと同じ強膜路１８６を通って延在してもよい。１つの針２５３のみが示されているが、１つ又は複数のアクチュエータによって個別に操作可能であってもよい、１つ若しくは複数の針又はスリーブをインサータ・デバイス２５０に含めることができる、実現例が想到される。
【００５４】
排水デバイス１００は、埋め込み後、排水デバイス１００の遠位端が、目１０１に針２５３を入れたのと同じ側で前眼房１１５内に残るように、最初は針２５３内で保持し、針２５３を後退させることによって解放することができる。埋め込み後、排水デバイス１００の近位端は、結膜１１４と強膜１１３との間のテノン嚢下空間に、より具体的にはテノン嚢１９９と強膜１１３との間に残ることができる。遠位端と近位端との間の排水デバイス１００の中間部分は、強膜路１８６内に残って、眼房水を、排水デバイス１００の遠位端にある入口ポートから排水デバイス１００の近位端にある１つ又は複数の出口ポートへと運ぶことができる。いくつかの実施例によれば、眼外埋め込み方法を容易にするため、排水デバイス１００を、最初は、入口ポートを含む排水デバイス１００の遠位端が針の遠位先端にある針２５３の解放ポートに面し、排水デバイス１００の近位端が、針２５３の解放ポートから離れる方向に面し、インサータ・デバイス２５０のハンドル２５４に向かって面するような配向で、針２５３内で保持することができる。いくつかの実施例では、インサータ・デバイス２５０は、注入された排水デバイス１００を別個の組織面（テノン嚢及び強膜など）間に埋め込みする前に、流体（眼粘弾剤など）又は気体（空気、ＳＦ６、若しくはＣ３Ｆ６など）を、別個の組織面に送達するように構成される。
【００５５】
図２４Ａ〜２４Ｅは、テノン嚢下空間、又は排水デバイス１００の部分が中で保持される他の保定空間よりも縁１９８の近くに作られる、結膜切開２０２を伴う埋め込み処置の一例を示している。例えば図２４Ａ〜２４Ｅに示されるように、埋め込み処置は、最初に切開２０２を通して針２５３を挿入し、次に本体１０２など、デバイス１００の近位部分を操作して、異なる角度から同じ切開２０２を通してテノン嚢下空間に入れることを含むことができる。
【００５６】
図２４Ａに示されるように、針２５３を挿入する前に、切開２０２を結膜１１４に形成することができる。切開２０２は、例えば、目１０１の縁１９８から約３ミリメートル（ｍｍ）離して作成することができるが、他の位置がこの切開に適していることがあることが想到される。図２４Ａに示されるように、切開２０２は、メス、又はインサータ・デバイス２５０とは別個であってもよい他の適切な外科用器具など、刃２０３を使用して作成することができる。しかしながら、インサータ・デバイス２５０自体が最初の切開２０２を作るのに使用される、他の実現例が想到される。切開２０２は、結膜１１４を通して、また目１０１のテノン嚢１９９を通して作成することができる。テノン嚢１９９は、図２４Ａでは別個の層として示されているが、テノン嚢１９９は、縁１９８に近い領域では結膜１１４と一体になる場合があることが注目される。切開２０２によって、刃２０３、又はテノン嚢１９９を上強膜（強膜１１３の最外層）から切断する他の任意の適切なツールを使用して、結膜１１４と強膜１１３との間にポケットが形成されるか又は開かれてもよい。更に後述するように、ポケットは、本体１０２などの排水デバイス１００の一部分が、後で挿入され保定される空間を提供してもよい。
【００５７】
図２４Ｂに示されるように、インサータ・デバイス２５０の針２５３を切開２０２に挿入することができる。針２５３は、強膜１１３を通して遠位方向に前進させて強膜路１８６を形成し、更に前進させて、針２５３の遠位先端が、線維柱帯１８７、又は前眼房１１５を封止する他の眼組織を通して、前眼房１１５に入るようにすることができる。針２５３は、例えば、外科医又はユーザがハンドルを移動させて、針２５３を含むインサータ・デバイス２５０全体を遠位方向に前進させることによって、並びに／或いはアクチュエータを操作して、針２５３をハンドル２５４に対して遠位方向に前進させることによって、遠位方向に前進させることができる。
【００５８】
図２４Ｃに示されるように、針２５３を後退させて、チューブ１０６の遠位端など、排水デバイス１００の遠位部分が前眼房１１５内に配設された状態で、眼内排水デバイス１００を適所に残すことができる。図２４Ｃに示されるように、針２５３を後退させることで、チューブ１０６の中間又は近位部分などの排水デバイス１００の一部分も、針２５３の遠位方向移動によって先に形成された強膜路１８６内で適所に残すことができる。針２５３は、例えば、アクチュエータ２５２（図２４Ａ〜２４Ｅには図示なし）を操作して、ハンドル内にあって針２５３に結合された内部メカニズムを作動させることによって、後退させることができる。図２４Ｃは、排水デバイス１００の一部分が露出し、排水デバイス１００の残りの部分がまだ針２５３内に保持された状態の、部分的に後退させた針２５３を示している。
【００５９】
図２４Ｄに示されるように、針２５３を後退させて強膜１１３から出し、強膜路１８６から出した後、本体１０２の全て又は一部分など、排水デバイス１００の一部分を、結膜１１４と強膜１１３との間のポケットに挿入することができる。排水デバイス１００は、例えば、同じインサータ・デバイス２５０又は別個の器具であることができるツール２０５を使用して、排水デバイス１００を更に操作することによって、ポケットに挿入されてもよい。排水デバイス１００は、この段階では、穿刺経路１８６を形成する間、針２５３によって使用されたアプローチ角度に対して異なる角度で、枢動させるか又は別の形でポケットにアプローチすることによって操作されてもよい。いくつかの実施例によれば、上述した保定機構など、排水デバイス１００の保定機構は、排水デバイス１００を目１０１の組織に縫合する必要なしに、排水デバイス１００が適所に残ることができるようにしてもよい。
【００６０】
いくつかの実施例によれば、排水デバイス１００は可撓性であり、針内に圧縮状態で収容することができる。例えば、排水デバイス１００は、針２５３の内表面に対して押し潰されるか、折り畳まれるか、又は別の形で圧縮されて、排水デバイス１００が、患者の目１０１の眼内部位内へと解放される前は、より小さい形状因子を有することができるようにされてもよい。針２５３を後退させ、排水デバイス１００を解放する際、排水デバイスの圧縮部分に対して加えられている圧縮が解放されて、排水デバイス１００の圧縮が解かれ、眼内部位内（例えば、ポケット内）で自己拡張して、１つ又は複数の寸法が針２５３の直径よりも大きい（例えば、直径が大きいか、若しくは本体１０２の長軸に沿った寸法が大きい）非圧縮状態になることが可能にされてもよい。しかしながら、可撓性の排水デバイス１００が圧縮される実例について記載しているが、排水デバイス１００が、針２５３によって保持されるときに圧縮されない、並びに／或いは針２５３から解放されたときに拡張しない、他の実現例が想到される。
【００６１】
図２４Ｅは、ポケット内に挿入した後の排水デバイス１００を示している。図２４Ｅに示されるように、本体１０２又は本体１０２の部分はテノン嚢下空間内で保持されてもよく、チューブ１０６又はチューブ１０６の部分は前眼房１１５内で保持されてもよい。排水デバイス１００は、排水デバイス１００の１つ又は複数の入口ポート（図２４Ｅには図示なし）が前眼房１１５に接触し、排水デバイス１００の１つ又は複数の出口ポート（図２４Ｅには図示なし）が、結膜１１４と強膜１１３との間の空間に接触するようにして、保定することができる。
【００６２】
図２５Ａ〜２５Ｅは、埋め込みされた排水デバイスの部分が中で保持される結膜と強膜との間の空間よりも縁１９８から離れて作成された、切開２０２を通して針２５３を挿入することを含む、埋め込み処置の一例を示している。例えば図２５Ａ〜２５Ｅに示されるように、埋め込み処置は、最初に切開２０２を通して針２５３を挿入し、次に、針を後退させ続けることによって、排水デバイスをテノン嚢下空間に残すためにインサータ・デバイス２５０を実質的に枢動させる必要なく、本体１０２など、排水デバイス１００の近位部分をテノン嚢下空間内に残すことを含むことができる。
【００６３】
例えば図２５Ａに示されるように、結膜切開２０２は、例えば、目１０１の縁１９８から約３ミリメートル（ｍｍ）よりも離して作成することができるが、他の位置がこの切開に適していることがあることが想到される。図２５Ａに示されるように、切開２０２は、結膜１１４を通してインサータ・デバイス２５０の針２５３を挿入することによって作成される、針切開であることができる。切開２０２は、結膜１１４を通して、また目１０１のテノン嚢１９９を通して作成することができる。結膜１１４と強膜１１３との間のポケットは、この段階で、切開２０２を通して、（切開２０２よりも縁１９８に近い）切開上方の空間内に形成されてもよく、又はこの段階でポケットを開く必要なしに処置を進めてもよい。
【００６４】
図２５Ｂに示されるように、針２５３を、強膜１１３を通して遠位方向に前進させて、強膜路１８６を形成し、線維柱帯１８７、又は前眼房１１５を封止する他の眼組織を通して、前眼房１１５内へと更に前進させることができる。
【００６５】
図２５Ｃに示されるように、針２５３を後退させて、チューブ１０６の遠位端など、排水デバイス１００の遠位部分が前眼房１１５内に配設された状態で、眼内排水デバイス１００を適所に残すことができる。図２５Ｃに示されるように、針２５３を後退させることで、チューブ１０６の中間又は近位部分などの排水デバイス１００の一部分も、針２５３の遠位方向移動によって先に形成された強膜路１８６内で適所に残すことができる。図２５Ｃは、排水デバイス１００の一部分が露出し、排水デバイス１００の残りの部分がまだ針２５３内に保持された状態の、部分的に後退させた針２５３を示している。
【００６６】
図２５Ｄに示されるように、針２５３を後退させて強膜１１３から出し、強膜路１８６から出した後、針を後退させ続けて、本体１０２の全て又は一部分など、排水デバイス１００の一部分を、結膜１１４と強膜１１３との間の保定空間内で適所に残すことができる。このように、最初の切開を、排水デバイスの保定空間の下方にあるもの、又はそれよりも縁１９８から離れているものと見なすことができる。これは、例えば、排水デバイス１００を保定ポケット内に固定するのに、異なるアプローチ角から排水デバイス１００を別個に枢動又は操作する必要性を回避してもよい。それに加えて又はその代わりに、これは、排水デバイス１００を上方からポケット内に固定する別個の操作を含む実現例よりも、侵襲性が低い処置を提供してもよい。上述した保定機構など、排水デバイス１００の保定機構は、排水デバイス１００を目１０１の組織に縫合する必要なしに、排水デバイス１００が適所に残ることができるようにしてもよい。
【００６７】
図２５Ｅは、針の後退後に空間内で保定されている排水デバイス１００を示している。図２５Ｅに示されるように、本体１０２又は本体１０２の部分はテノン嚢下空間内で保持されてもよく、チューブ１０６又はチューブ１０６の部分は前眼房１１５内で保持されてもよい。排水デバイス１００は、排水デバイス１００の１つ又は複数の入口ポート（図２５Ｅには図示なし）が前眼房１１５に接触し、排水デバイス１００の１つ又は複数の出口ポート（図２５Ｅには図示なし）が、結膜１１４と強膜１１３との間の空間に接触するようにして、保定することができる。
【００６８】
インサータ・デバイス
いくつかの実施例によれば、例えば図２６に示されるように、インサータ・デバイス２５０のアクチュエータ２５２は、例えば、鉛筆の持ち方を使用してハンドル２５４を保持したときに、外科医の親指又は人差し指を使用して操作することができる、ハンドル２５４の側面に配設されたトリガ・ボタンを含むことができる。それに加えて又はその代わりに、インサータ・デバイス２５０は、排水デバイス１００を解放することができる針２５３を収容したインサータ・デバイス２５０の遠位端とは反対側の、インサータ・デバイス２５０の近位端に配設された指ループ２１１を含むことができる。指ループ２１１は、例えば、ユーザが引っ張ってハンドル内の真空チャンバに真空を作り出すことができる、人間工学的機構を提供することができる。真空チャンバは、アクチュエータ２５２を押し下げると、針２５３を後退させる真空力を適用するように構成することができる。本明細書に記載される真空は必ずしも完全な真空ではなくてもよく、一般に、空気が除去されて圧力差を作り出すことによって真空力を適用させる、任意の適切な空隙を含むことができることが理解されるべきである。
【００６９】
図２７Ａ〜２７Ｄは、様々な例示の動作段階における、図１９に示される実現例によるインサータ・デバイス２５０の切欠図である。例えば図２７Ａ〜２７Ｄに示されるように、インサータ・デバイス２５０は、ハンドル２５４と、ハンドル２５４の遠位端に配設された針２５３とを含むことができる。前側プランジャ２１５は、針２５３に結合し、ハンドル２５４内に配設させることができる。前側プランジャ２１５は、例えば、針２５３が前側プランジャ２１５と共に移動するように、針２５３に直接又は間接的に固定して取り付けることができる。前側プランジャ２１５は、真空チャンバ２１９内に作られた真空によって近位方向力を前側プランジャ２１５に適用することができ、それによって針２５３を前側プランジャ２１５と共に後退させることができるように、前側真空チャンバ２１９の遠位側に配設することができる。
【００７０】
図２７Ａ〜２７Ｄはまた、インサータ・デバイス２５０内に真空を作り出し、真空に基づいて針２５３を後退させるのを容易にするために含めることができる、他の構成要素を示している。例えば、後側プランジャ２１３を、前側プランジャ２１５の近位側に配設し、後側プランジャ２１３が前後に並進することができるように、チャネル２２１内に往復運動可能に配設することができる。後側プランジャ２１３は、例えば図２７Ａ〜２７Ｄに示されるように、前側プランジャ２１５よりも小さくすることができる。チャージ区画２３３は、ハンドル２５４の近位端に配設され、ハンドル２５４に対して近位方向に後退可能であることができる。チャージ区画２３３の後退は、後側真空チャンバ２１８を拡張させて真空を中に作り出すように構成することができる。後側真空チャンバ２１８内の真空を、後側プランジャ２１３の近位方向力に適用して、後側プランジャをチャネル２２１内で近位方向に移動させ、それによって次に前側真空チャンバ２１９内に真空を作り出すことができる。例えばダックビル弁などの弁２２９を、後側真空チャンバ２１８に結合して、チャージ区画２３３を遠位方向に移動して後側真空チャンバ２１８に接触させたときに、圧力を解放できるようにすることができる。指ループ２１１は、チャージ区画２３３に配設するか又は別の形で結合して、指ループを引っ張ることによってチャージ区画２３３を後退させるのを容易にすることができる。前側真空チャンバ２１９及び後側真空チャンバ２１８はそれぞれ、封止されたチャンバ（例えば、Ｏリング若しくは他の封止部材で封止される）であってもよい。
【００７１】
図２７Ａは、デバイス２５０がユーザに送達される際の初期段階に相当することができる、パッケージ化段階中のインサータ・デバイス２５０を示している。この段階では、インサータ・デバイス２５０内は真空ではなくてもよく、したがって前側真空チャンバ２１９内は真空ではない。針２５３（例えば、金属スリーブ）及び前側プランジャ２１５は、前方位置又は遠位位置にあることができる。眼内排水デバイス（図２７Ａには図示なし）は、針２５３内で保持することができる。アクチュエータ２５２は、この段階では係止位置で支持されているトリガ・ボタンとして実現することができる。後側プランジャ２１３は、この段階では、前方の遠位位置に配設することができる。
【００７２】
図２７Ｂは、デバイス内に真空を作り出すのに使用することができる、チャージ段階中のインサータ・デバイス２５０を示している。チャージ段階中、ユーザは、チャージ区画２３３を（例えば、指ループ２１１を引っ張ることによって）ハンドル２５４に対して後退させることができ、それによって後側真空チャンバ２１８を拡張させて、前側及び後側真空チャンバそれぞれに真空を作り出すことができる。特に、後側真空チャンバ２１８内に作られた真空は、近位方向真空力を後側プランジャ２１３に加えてもよく、それによって後側プランジャ２１３がチャネル２２１内で近位方向に並進することで、前側真空チャンバ２１９内に真空を作ることができる。前側真空チャンバ２１９内の真空は、近位方向真空力を前側プランジャ２１５に適用することができるが、前側プランジャ２１５は、トリガ・ボタン・アクチュエータ２５２又はトリガ・ボタン・アクチュエータに結合されたメカニズムによって適所で保持されるので、遠位位置に残ることができる。
【００７３】
図２７Ｃは、作動段階中のインサータ・デバイス２５０を示している。この段階で、ユーザは、チャージ区画２３３をハンドル２５４に対して遠位方向に押すことができる。これにより、弁２２９を通して正圧を解放することができる。それに加えて又はその代わりに、チャージ区画２３３の遠位方向移動によって、トリガ・ボタン・アクチュエータ２５２に結合された安全装置を解放して、トリガ・ボタンを押すのを可能にすることができる。前側プランジャ２１５及び針２５３は、この段階では、アクチュエータ２５２によって前方の遠位位置で保持されたままであることができる。
【００７４】
図２７Ｄは、後退段階中のインサータ・デバイス２５０を示している。後退段階中、トリガ・ボタン・アクチュエータ２５２をユーザが押し下げて、前側プランジャ２１５を解放して前側プランジャ２１５がハンドル２５４に対して近位方向に並進できるようにし、針２５３と共に後退させて眼内排水デバイス１００が露出するようにすることができる。特に、真空チャンバ２１９内の真空は、近位方向真空力を前側プランジャ２１５に適用することができる。近位方向真空力は、トリガ・ボタンが上位置にあって前側プランジャ２１５及び針２５３を適所で保持しているとき、トリガ・ボタンによって反作用させることができる。トリガ・ボタンを押すことで、この反作用力を除去して、ボタンが押されるとプランジャ２１５及び針２５３が近位方向移動できるようにすることができる。
【００７５】
いくつかの実施例によれば、例えば図２８Ａ〜２８Ｄに示されるように、インサータ・デバイス２５０は、針２５３に結合された摺動可能及び押圧可能なボタンとして実現される、アクチュエータ２５２を含むことができる。針２５３は、ボタンをハンドル２５４に対して摺動させると、並進可能であることができ、ボタンを押すことで、眼内排水デバイス１００を針２５３から解放することができる。様々な実現例では、摺動可能及び押圧可能なボタンは、針２５３を、遠位方向（展開）、近位方向（後退）、又は遠位方向及び近位方向の両方に並進させるように動作可能であることができる。
【００７６】
図２８Ａ〜２８Ｄは、様々な動作段階における、摺動可能及び押圧可能なボタンを有して実現されたインサータ・デバイス２５０を示している。図２８Ａは、摺動可能及び押圧可能なボタン・アクチュエータ２５２が上方の近位位置にあり、針２５３も、眼内排水デバイス（図２８Ａには図示なし）を中に保持した状態で近位位置にある、初期段階中のインサータ・デバイス２５０を示している。図２８Ｂは、展開段階中のインサータ・デバイス２５０を示している。アクチュエータ２５２は、上方位置に残って排水デバイスを針２５３内で保持し、アクチュエータは、ユーザによって遠位方向に並進させられて、（例えば、針２５３を前眼房又は他の眼区画に挿入するのを容易にするため）針２５３を遠位方向に展開する。図２８Ｃは、係合段階中のインサータ・デバイス２５０を示している。この段階で、ボタン・アクチュエータ２５２が押されて、排水デバイス１００が針から解放される。例として、ボタンを押すことで、テンショナ及び／又は組織グリップを係合することができる。図２８Ｄは、後退段階中のインサータ・デバイス２５０を示している。この段階で、ユーザは、摺動可能なボタン・アクチュエータ２５２を近位方向に並進させて、針２５３を排水デバイス１００の周りから後退させることができる。アクチュエータ２５２を、押下げ位置にある状態で近位方向に並進させて、排水デバイス１００を埋め込み部位で解放するのを容易にすることができる。
【００７７】
いくつかの実施例によれば、例えば図２９Ａ〜２９Ｃに示されるように、インサータ・デバイス２５０は２アーム・マニピュレータを含むことができる。２アーム・マニピュレータは、排水デバイス１００の部分を、単一の切開２０２を通して目の異なる区画に挿入することができるように、１つ又は複数のアクチュエータ（図２９Ａ〜２９Ｃには図示なし）によって操作可能であることができる。例えば、２アーム・マニピュレータは、第１のアーム２０７が、排水デバイス１００の遠位端を前眼房に挿入するのを容易にし、第２のアーム２０８が、排水デバイス１００の近位端を、テノン嚢下空間など、結膜と強膜との間の空間に異なる角度から挿入するのを容易にする、図２４Ａ〜２４Ｄに示したのと類似の埋め込み処置を容易にしてもよい。
【００７８】
図２９Ａ〜２９Ｃは、様々な動作段階における、２アーム・マニピュレータを有して実現されたインサータ・デバイス２５０を示している。例えば図２９Ａに示されるように、２アーム・インサータ・デバイス２５０は、眼外アプローチを容易にするため、結膜の切開など、目１０１の単一の切開２０２に挿入することができる。図２９Ｂに示されるように、第１のアーム２０７は、遠位部分など、排水デバイス１００の一部分を係合し、切開を通して排水デバイス１００を操作して、排水デバイス１００のその部分を前眼房に入れることができる。いくつかの実施例では、アクチュエータ（図２９Ｂには図示なし）を、第１のアーム２０７を操作し、排水デバイス１００の部分を前眼房に入れるように動作させることができ、並びに／或いは、排水デバイス１００の部分が所望の位置にあるときにそれを解放するように動作させることができる。図２９Ｃに示されるように、第２のアーム２０８は、排水デバイス１００の近位部分など、別の部分と係合させることができる。ユーザは、インサータ・デバイス２５０を枢動させて、同じ切開２０２を通して異なる角度から、テノン嚢下空間又は他の空間に近付くことができる。いくつかの実施例では、第１のアーム２０７を操作するアクチュエータと同じ又は別個のものであることができる、アクチュエータ（図２９Ｃには図示なし）は、第２のアーム２０８を操作し、排水デバイスの他の部分をテノン嚢下空間に入れるように動作させることができ、並びに／或いは、排水デバイス１００の他の部分が所望の位置にあるときにそれを解放するように動作させることができる。１つ又は複数のアクチュエータは、第１のアーム及び第２のアームを独立して動作させるように構成することができる。図２９Ｃの矢印は、強膜若しくは結膜表面に対して実質的に横断方向又は接線方向であることができる、第２のアーム２０８の前進方向を示している。
【００７９】
図３０Ａ及び３０Ｂは、インサータ・デバイス２５０ａの斜視図及び切欠図である。例えば図３０Ａ及び３０Ｂに示されるように、インサータ・デバイス２５０ａは、ハンドル２５４ａと、ハンドル２５４ａのノーズ２５７ａ（例えば、遠位端）上に又はそこから配設された針２５３とを含むことができる。ラック・ピニオン・メカニズム２１５ａは、針２５３に結合させ、ハンドル２５４ａ内に配設することができる。ラック・ピニオン・メカニズム２１５ａは、例えば、針２５３がラック・ピニオン・メカニズム２１５ａと共に移動するように、針２５３に直接又は間接的に固定して取り付けることができる。ラック・ピニオン・メカニズム２１５ａは、針２５３に結合された歯付きラック２１６ａを含み、ギヤ２１７ａに結合されるか又はそれによって係合されるように構成することもできる。ハンドル２５４ａに配設されたアクチュエータ２５２ａ（例えば、摺動可能なボタン）は、ギヤ２１７ａに結合するか又はそれによって係合することができる。アクチュエータ２５２ａが前方に（例えば、針２５３に向かって）押されると、アクチュエータ歯２５５ａは、ギヤ２１７ａを係合し、ギヤを第１の方向（例えば、反時計方向）に回転させることができる。したがって、ギヤ２１７ａは、近位方向力をラック・ピニオン・メカニズム２１５ａに適用することができ、それによって次に、針２５３をラック・ピニオン・メカニズム２１５ａと共に後退させることができる。アクチュエータ２５２ａはまた、ギヤ２１７ａが回転するのを防ぐギヤ係止部材２５９ａを含んでもよく、それによって、針２５３を目１０１に挿入する間、針２５３が後退するのを防ぐことができる。
【００８０】
動作中、排水デバイス１００、１００ａ、１００ｂ、１００ｃが強膜１１３内で適切に位置付けられているときなど、ユーザ（例えば、眼科外科医、ロボット・アーム）は、ハンドル２５４ａを把持し、インサータ・デバイス２５０ａを押して針２５３を目１０１の中の適切な位置へと移動させることによって、針２５３を目１０１に挿入することができる。例えば、針２５３は、ノーズ２５７ａが目１０１の表面に達するか又は突き当たるまで目１０１に押し込まれて、それによって自然な停止部として作用し、針２５３を後退させる間、目１０１を適所で保ってもよい。図３０Ｃに示されるように、ノーズ２５７ａは、インサータ・デバイス２５０ａを目１０１に対して更に安定させる、把持部材２６７（例えば、パターン、材料、突出部）を含んでもよい。例えば、把持部材２６７は、図３０Ｃに示されるような歯又はリブとして構成されてもよい。次に、前方方向力をアクチュエータ２５２ａに働かせて、アクチュエータ２５２ａを前方に移動させ、それによってギヤ係止部材２５９ａをギヤ２１７ａから係脱し、ラック・ピニオン・メカニズム２１５ａを係合し、針２５３を後退させることができる。針２５３を後退させることで、排水デバイス１００、１００ａ、１００ｂ、１００ｃが強膜１１３内に位置付けられて残り、その後、インサータ・デバイス２５０ａを引き戻して、針２５３を目１０１から除去することができる。ノーズ２５７ａは、凸状プロファイル（例えば、図３０Ｃに示されるような円錐形状）、直線プロファイル（例えば、円筒形状）、凹状プロファイル（例えば、漏斗形状）など、特定の形状を有する外側プロファイルを有してもよい。ノーズ２５７ａの最遠位面は、図３０Ｃに示されるような線状、凸状、又は凹状であってもよい。例えば、凹状プロファイル及び／又は凹状の最遠位面は、ノーズ２５７ａを目１０１の表面に適合させるか、又はそれに同調させてもよい。
【００８１】
図３１Ａ及び３１Ｂは、インサータ・デバイス２５０ｂの斜視図及び切欠図である。例えば図３１Ａ及び３１Ｂに示されるように、インサータ・デバイス２５０ｂは、ハンドル２５４ｂと、ハンドル２５４ｂのノーズ２５７ｂ（例えば、遠位端）上に又はそこから配設された針２５３とを含むことができる。シャトル・メカニズム２１５ｂは、針２５３に結合され、ハンドル２５４ｂ内に配設することができる。シャトル・メカニズム２１５ｂは、例えば、針２５３がシャトル・メカニズム２１５ｂと共に移動するように、針２５３に直接又は間接的に固定して取り付けることができる。シャトル・メカニズム２１５ｂは、ハンドル２５４ｂの傾斜機構２５８ｂに移動可能に結合されるか又はそれと係合される、ローラ２１６ｂを含むことができる。ハンドル２５４ｂは、図３１Ａに示されるように、二枚貝構成で配設されるハンドル２５４ｂの可動区画であることができる、ハンドル・アクチュエータ２５２ｂを含むことができる。ハンドル・アクチュエータ２５２ｂが互いに向かって移動させられる（例えば、押し潰される）につれて、ローラ２１６ｂは、ハンドル２５４ｂの傾斜機構２５８ｂに沿って後方に（例えば、ノーズ２５７ｂから離れるように）移動する。したがって、ローラ２１６ｂの移動によって、近位方向力をシャトル・メカニズム２１５ｂに適用することができ、それによって次に、針２５３をシャトル・メカニズム２１５ｂと共に後退させることができる。ばね２５９ｂは、ハンドル２５４ｂ内に配設され、シャトル・メカニズム２１５ｂを、またしたがって前方位置にある針２５３を付勢するように構成することができ、それによって、針２５３を目１０１に挿入する間、針２５３が後退するのを防ぐか又は妨げることができる。
【００８２】
ハンドル・アクチュエータ２５２ｂは、少なくとも部分的に、使用中（例えば、針２５３を目１０１から後退させるとき）、インサータ・デバイス２５０ｂを始動させ、インサータ・デバイス２５０ｂの制御を改善するのに必要な押し潰す動きを円滑にするために、ハンドル・アクチュエータ２５２ｂをハンドル２５４ｂから離して外側に付勢するように構成された、付勢材料（例えば、抵抗性及び／又は高剛性材料）で形成されてもよい。図３１Ｃに示されるように、インサータ・デバイス２５０ｂは、ハンドル・アクチュエータ２５２ｂをハンドル２５４ｂから離して外側に付勢するように構成された、付勢部材２６０ｂ（例えば、ばね）を含んでもよい。付勢部材２６０ｂは、板ばね、圧縮ばね、圧縮可能材料など、任意のタイプの付勢アセンブリであってもよい。外側に付勢する力は、付勢材料及び付勢部材２６０ｂの組み合わせによってもたらされてもよい。
【００８３】
動作中、排水デバイス１００、１００ａ、１００ｂ、１００ｃが強膜１１３内で適切に位置付けられているときなど、ユーザ（例えば、眼科外科医、ロボット・アーム）は、ハンドル２５４ａを把持し、インサータ・デバイス２５０ｂを押して針２５３を目１０１の中の適切な位置へと移動させることによって、針２５３を目１０１に挿入することができる。例えば、針２５３は、ノーズ２５７ｂが目１０１の表面に達するか又は突き当たるまで目１０１に押し込まれて、それによって自然な停止部として作用し、針２５３を後退させる間、目１０１を適所で保ってもよい。ノーズ２５７ａと同様に、ノーズ２５７ｂは、インサータ・デバイス２５０ｂを目１０１に対して更に安定させる、把持部材２６７（例えば、パターン、材料、突出部）を含んでもよい。また、ノーズ２５７ａと同様に、ノーズ２５７ｂは、凸状プロファイル（例えば、図３１Ｂに示されるような円錐形状）、直線プロファイル（例えば、円筒形状）、凹状プロファイル（例えば、漏斗形状）など、特定の形状を有する外側プロファイルを有してもよい。ノーズ２５７ｂの最遠位面は、図３１Ｂに示されるような線状、凸状、又は凹状であってもよい。例えば、凹状プロファイル及び／又は凹状の最遠位面は、ノーズ２５７ｂを目１０１の表面に適合させるか、又はそれに同調させてもよい。押し潰す力は次に、ハンドル・アクチュエータ２５２ｂに働いてシャトル・メカニズム２１５ｂを係合し、ばね２５９ｂの付勢力を克服することによって、傾斜機構２５８ｂに沿ってローラ２１６ｂを移動させ、シャトル・メカニズム２１５ｂ及び針２５３を後退させることができる。針２５３を後退させることで、排水デバイス１００、１００ａ、１００ｂ、１００ｃが強膜１１３内に位置付けられて残り、その後、インサータ・デバイス２５０ｂを引き戻して、針２５３を目１０１から除去することができる。ハンドル・アクチュエータ２５２ｂを押し潰す力は（例えば、ハンドル２５４ｂ及び針２５３の長手方向軸に垂直な）横方向なので、針２５３を後退させる間、排水デバイス１００、１００ａ、１００ｂ、１００ｃの変位及び望ましくない移動を最小限に抑えることができる。
【００８４】
図１５、３２、及び３３は、インサータ・デバイス２５０において実現することができる、針２５３の様々な実例を示している。
【００８５】
いくつかの実施例によれば、例えば図１５に示されるように、針２５３は、近位方向に延在することができ、眼内排水デバイス１００の１つ又は複数の対応するフィン１８０を受け入れるように構成することができる、１つ又は複数のスロット２０１を有して実現することができる。フィンは、埋め込み処置中に排水デバイス１００を展開する間のチューブ１０６の保定など、排水デバイス１００の保定を容易にすることができる。例えば、各フィン１８０の近位側の停止面１８３は、針２５３が遠位方向に動く間、排水デバイスが針内に収容されたままであることができるように、インサータ・デバイス２５０の針２５３の遠位側に当接することができる。各フィン１８０の遠位側の傾斜面１８４は、針２５３を遠位方向に動かす間、目の組織を通して挿入するのを容易にしてもよい。排水デバイス１００は、例えば、針２５３を後退させる間、第１の保定部材１８０の近位面が患者組織に当接してチューブ１０６を目の中の適所で保持した状態で、針２５３を後退させることによって、インサータ・デバイス２５０から排出させることができる。埋め込み処置中、フィン１８０を、針２５３の遠位先端に含まれるそれぞれのスロット２０１内に配設することができ、それによって、チューブ１０６を針２５３の遠位端から突出させることなく、第１の保定部材１８０を針２５３の遠位側に当接させるのを可能にしてもよい。しかしながら、スロット２０１が省略される、他の実現例が想到される。
【００８６】
いくつかの実施例によれば、例えば図１５に示されるように、針２５３は斜角付き遠位先端を含むことができ、斜角付き先端は、排水デバイス１００の解放ポートとなる開口部を有する。
【００８７】
いくつかの実施例によれば、例えば図３２に示されるように、針２５３は、（例えば、図３２に示されるような弾丸形状の、又は他の任意の適切な形状の）ソリッドノーズ遠位先端を有して実現することができる。排水デバイスの解放ポート２４１は、針２５３の側面でソリッドノーズ先端の近位側に配設されてもよい。ソリッドノーズは、例えば、挿入中に針２５３に組織が詰まるのを回避する助けとなり得る。
【００８８】
いくつかの実施例によれば、例えば図３３に示されるように、針２５３は、針２５３の挿入深さを示すため、針２５３に沿って軸方向に延在する軸方向マーキング・パターンを含むことができる。例えば、マーキング・パターンは、一連の１ミリメートルの目盛り、又は軸方向で変化し、針２５３の挿入深さを示す、他の任意の適切な視覚的マーキングを含むことができる。別の実例として、針２５３は、針の先端から特定の距離（例えば、３ｍｍ）に配設された少なくとも１つの測定マーカーを含んでもよい。
【００８９】
図３４Ａ及び３４Ｂに示されるように、眼内排水デバイス・アセンブリ１９９は、排水デバイス１００、１００ａ、１００ｂ、１００ｃに接続されたプレート１９０を含むことができる。プレート１９０は、プレート部材１９１とチューブ１９２とを含むことができる。アダプタ１９５は、排水デバイス１００、１００ａ、１００ｂ、１００ｃをチューブ１９２に差し込むインターフェースを提供することができる。アダプタ１９５は、排水デバイス本体１０２、１０２ａ、１０２ｂ、１０２ｃの端部に一体的に形成されるか、又は端部に結合され、チューブ１９２と封止係合されるか結合されるように、サイズ及び形状を決めることができる。例えば、アダプタ１９５は、排水デバイス１００、１００ａ、１００ｂ、１００ｃとプレート１９０及び／又はチューブ１９２との間を適切に封止するため、アダプタ１９５の外表面とチューブ１９２の内表面との係合を最大限にする、平滑な外表面（例えば、パターニングがない）を有してもよい。アダプタ１９５は、例えば２ｍｍなど、任意の所望の長さであってもよい。図３４Ｃに示されるように、アダプタ１９５は、排水デバイス本体１０２、１０２ａ、１０２ｂ、１０２ｃに対して段階的に小さくなるサイズ（例えば、小さくなる直径）を有することによって、排水デバイス本体１０２、１０２ａ、１０２ｂ、１０２ｃとアダプタ１９５との間に肩部１９３を提供してもよい。肩部１９３は、チューブ１９２への排水デバイス１００、１００ａ、１００ｂ、１００ｃの過挿入を防ぐための停止部を提供することができる。
【００９０】
上述の説明は、本明細書に記載される様々な構成を当業者が実施するのを可能にするために提供するものである。主題の技術を、様々な図面及び構成を参照して特に記載してきたが、これらは例示目的のものであり、主題の技術の範囲を限定するものとして解釈されるべきでないことが、理解されるべきである。
【００９１】
主題の技術を実現する他の多くの方法があり得る。本明細書に記載される様々な機能及び要素は、主題の技術の範囲を逸脱することなく、提示されているものとは異なるものとして区別されてもよい。これらの構成に対する様々な修正は、当業者には容易に明白となるものであり、本明細書で定義される一般原理が他の構成に適用されてもよい。したがって、当業者によって、主題の技術の範囲を逸脱することなく、主題の技術に対して多数の変更及び修正が行われてもよい。
【００９２】
開示されるプロセスにおけるステップの特定の順序又は階層は、例示的なアプローチの一例であることが理解される。設計上の好みに基づいて、プロセスにおけるステップの特定の順序又は階層は再配置されてもよいことが理解される。ステップのいくつかが同時に実施されてもよい。付随する任意の方法クレームは、様々なステップの要素を見本の順序で提示するものであり、提示される特定の順序又は階層に限定されることを意味しない。
【００９３】
「態様」などの語句は、かかる態様が主題の技術に必須であること、又はかかる態様が主題の技術の構成全てに当てはまることを示唆するものではない。態様に関する開示は、全ての構成、又は１つ若しくは複数の構成に当てはまり得る。態様は、本開示の１つ又は複数の実例を提供してもよい。「態様」などの語句は１つ又は複数の態様を指すことがあり、その逆もまた真である。「実施例」などの語句は、かかる実施例が主題の技術に必須であること、又はかかる実施例が主題の技術の構成全てに当てはまることを示唆するものではない。実施例に関する開示は、全ての構成、又は１つ若しくは複数の構成に当てはまり得る。実施例は、本開示の１つ又は複数の実例を提供してもよい。「実施例」などの語句は１つ又は複数の実施例を指すことがあり、その逆もまた真である。「構成」などの語句は、かかる構成が主題の技術に必須であること、又はかかる構成が主題の技術の構成全てに当てはまることを示唆するものではない。構成に関する開示は、全ての構成、又は１つ若しくは複数の構成に当てはまり得る。構成は、本開示の１つ又は複数の実例を提供してもよい。「構成」などの語句は１つ又は複数の構成を指すことがあり、その逆もまた真である。
【００９４】
本明細書で使用するとき、一連の項目の前に置かれる「少なくとも１つの」という語句は、それらの項目のいずれかを分離する「及び」又は「又は」という用語と共に、リストの各部材（即ち、各項目）ではなく全体としてのリストを修正する。「少なくとも１つの」という語句は、列挙された各項目の少なくとも１つを選択することを必要とせず、それよりもむしろ、その語句によって、項目のいずれか１つのうち少なくとも１つ、及び／又は項目の任意の組み合わせのうち少なくとも１つ、及び／又は項目それぞれの少なくとも１つを含むことを意味することを可能にする。例として、「Ａ、Ｂ、及びＣの少なくとも１つ」、又は「Ａ、Ｂ、又はＣの少なくとも１つ」という語句はそれぞれ、Ａのみ、Ｂのみ、若しくはＣのみ、Ａ、Ｂ、及びＣの任意の組み合わせ、並びに／或いはＡ、Ｂ、及びＣそれぞれの少なくとも１つを指す。
【００９５】
本開示で使用されるような、「上」、「下」、「前」、「後」などの用語は、通常の重力基準系ではなく任意の基準系を参照して理解されるべきである。したがって、上面、下面、前面、及び後面は、重力基準系において上方、下方、対角方向、又は水平方向に延在してもよい。
【００９６】
更に、「含む」、「有する」などの用語が本明細書又は特許請求の範囲において使用される範囲において、かかる用語は、「備える」という用語が特許請求の範囲で移行語として用いられたときに解釈されるのと同様に、包括的であるものとする。
【００９７】
「例示の」という語は、本明細書では、「実例、事例、又は例示としての役割を果たす」ことを意味するのに使用される。「例示」として本明細書に記載される任意の実施例は、他の実施例よりも好ましいか又は有利であるものと必ずしも解釈されない。
【００９８】
単数の要素についての言及は、具体的な提示がない限り、「ただ１つのみ」ではなく「１つ又は複数」を意味するものとする。男性代名詞（例えば、彼）は、女性及び中性（例えば、彼女及びその）を含み、その逆もまた真である。「いくつか」という用語は１つ又は複数を指す。下線付き及び／又はイタリック体の見出し及び小見出しは、便宜上使用されるのみであり、主題の技術を限定するものではなく、主題の技術についての説明の解釈と併せて参照されるものではない。当業者に現在知られているか又は今後知られる、本開示を通して記載される様々な構成の要素についての全ての構造上及び機能上の等価物は、参照によって本明細書に明確に組み込まれ、主題の技術によって包含されるものとする。更に、本明細書の開示はいずれも、かかる開示が上述の明細書に明示的に記述されているか否かにかかわらず、公衆に提供されるものとする。
【００９９】
主題の技術の特定の態様及び実施例について記載してきたが、これらは単なる例として提示されているものであり、主題の技術の範囲を限定することは意図されない。事実上、本明細書に記載する新規な方法及びシステムは、その趣旨から逸脱することなく他の様々な形態で具体化されてもよい。添付の特許請求の範囲及びそれらの等価物は、主題の技術の範囲及び趣旨内にあるものとして、かかる形態又は修正を包含するものとする。
【図１】
2021536286.tif 000003
【図２】
2021536286.tif 000004
【図３】
2021536286.tif 000005
【図４】
2021536286.tif 000006
【図５】
2021536286.tif 000007
【図６】
2021536286.tif 000008
【図７】
2021536286.tif 000009
【図８Ａ】
2021536286.tif 000010
【図８Ｂ】
2021536286.tif 000011
【図９Ａ】
2021536286.tif 000012
【図９Ｂ】
2021536286.tif 000013
【図９Ｃ】
2021536286.tif 000014
【図１０Ａ】
2021536286.tif 000015
【図１０Ｂ】
2021536286.tif 000016
【図１１】
2021536286.tif 000017
【図１２】
2021536286.tif 000018
【図１３】
2021536286.tif 000019
【図１４】
2021536286.tif 000020
【図１５】
2021536286.tif 000021
【図１６】
2021536286.tif 000022
【図１７】
2021536286.tif 000023
【図１８】
2021536286.tif 000024
【図１８Ａ】
2021536286.tif 000025
【図１９】
2021536286.tif 000026
【図２０】
2021536286.tif 000027
【図２１】
2021536286.tif 000028
【図２２】
2021536286.tif 000029
【図２３】
2021536286.tif 000030
【図２４Ａ】
2021536286.tif 000031
【図２４Ｂ】
2021536286.tif 000032
【図２４Ｃ】
2021536286.tif 000033
【図２４Ｄ】
2021536286.tif 000034
【図２４Ｅ】
2021536286.tif 000035
【図２５Ａ】
2021536286.tif 000036
【図２５Ｂ】
2021536286.tif 000037
【図２５Ｃ】
2021536286.tif 000038
【図２５Ｄ】
2021536286.tif 000039
【図２５Ｅ】
2021536286.tif 000040
【図２６】
2021536286.tif 000041
【図２７Ａ】
2021536286.tif 000042
【図２７Ｂ】
2021536286.tif 000043
【図２７Ｃ】
2021536286.tif 000044
【図２７Ｄ】
2021536286.tif 000045
【図２８Ａ】
2021536286.tif 000046
【図２８Ｂ】
2021536286.tif 000047
【図２８Ｃ】
2021536286.tif 000048
【図２８Ｄ】
2021536286.tif 000049
【図２９Ａ】
2021536286.tif 000050
【図２９ＡＢ】
2021536286.tif 000051
【図２９Ｃ】
2021536286.tif 000052
【図３０Ａ】
2021536286.tif 000053
【図３０Ｂ】
2021536286.tif 000054
【図３０Ｃ】
2021536286.tif 000055
【図３１Ａ】
2021536286.tif 000056
【図３１Ｂ】
2021536286.tif 000057
【図３１Ｃ】
2021536286.tif 000058
【図３２】
2021536286.tif 000059
【図３３】
2021536286.tif 000060
【図３４Ａ】
2021536286.tif 000061
【図３４Ｂ】
2021536286.tif 000062
【図３４Ｃ】
2021536286.tif 000063
【国際調査報告】
2021536286.tif 000064
2021536286.tif 000065
2021536286.tif 000066
2021536286.tif 000067